(57)【特許請求の範囲】
【請求項１】
無線充電及び無線放電の方法であって、当該方法は、無線充電及び無線放電デバイスに適用され、当該方法は、
電子デバイスが前記無線充電及び無線放電デバイスと無線接続されていると決定することと、
前記電子デバイスが前記無線充電及び無線放電デバイスと無線接続されているとの決定に応答して、前記電子デバイスからの情報伝送の有無を判定し、前記情報伝送が受け取られない場合には前記無線充電及び無線放電デバイスの動作モードを切り替えて再度前記情報伝送の有無を判定し、前記情報伝送が受け取られる場合には前記無線充電及び無線放電デバイスの現在の動作モードに対応する前記電子デバイスのタイプを決定することと、
前記電子デバイスが無線充電クレードルデバイスであるとき、前記無線充電及び無線放電デバイスの無線充電受電モードで、前記無線充電クレードルデバイスにより前記無線充電及び無線放電デバイスを充電することと、
前記電子デバイスが無線充電受電デバイスであるとき、前記無線充電及び無線放電デバイスの無線充電クレードルモードで、充電電流を前記無線充電受電デバイスへ供給することと
を有する、
方法。
【請求項２】
前記電子デバイスのタイプを決定することは、少なくとも、
前記無線充電及び無線放電デバイスによって該無線充電及び無線放電デバイスの前記無線充電受電モードで前記無線充電及び無線放電デバイスのデバイス情報を前記電子デバイスへ送り、該電子デバイスからフィードバック情報を受けると、前記電子デバイスが前記無線充電クレードルデバイスであると決定すること、又は
前記無線充電及び無線放電デバイスの前記無線充電クレードルモードで、前記電子デバイスから該電子デバイスのデバイス情報を受けると、前記電子デバイスが前記無線充電受電デバイスであると決定すること
を有する、
請求項１に記載の方法。
【請求項３】
前記無線充電及び無線放電デバイスの前記無線充電受電モードで、前記無線充電及び無線放電デバイスの前記デバイス情報が前記電子デバイスへ送られた後に、前記電子デバイスから前記フィードバック情報を受けることができなかった場合に、前記電子デバイスのタイプを決定することは、
前記無線充電及び無線放電デバイスを前記無線充電クレードルモードへ切り替え、第２アンテナにより前記電子デバイスからのデバイス情報を受けると、前記電子デバイスが前記無線充電受電デバイスであると決定することを更に有し、あるいは、
前記無線充電及び無線放電デバイスの前記無線充電クレードルモードで、前記電子デバイスの前記デバイス情報を受けることができなかった場合に、前記電子デバイスのタイプを決定することは、
前記無線充電及び無線放電デバイスを前記無線充電受電モードへ切り替え、第１アンテナにより前記無線充電及び無線放電デバイスの前記デバイス情報を前記電子デバイスへ送り、該電子デバイスから前記フィードバック情報を受けると、前記電子デバイスが前記無線充電クレードルデバイスであると決定することを更に有する、
請求項２に記載の方法。
【請求項４】
前記無線充電及び無線放電デバイスの前記無線充電受電モードで、前記電子デバイスから前記フィードバック情報を受けることができなかった場合に、当該方法は、
第１プロンプト情報を表示スクリーンで表示するよう前記無線充電及び無線放電デバイスを制御することであり、前記第１プロンプト情報は、前記無線充電及び無線放電デバイスを前記無線充電受電モードから前記無線充電クレードルモードへ切り替えるべきかどうかをユーザに促すために使用される、前記制御することを更に有し、あるいは、
前記無線充電及び無線放電デバイスの前記無線充電クレードルモードで、前記電子デバイスの前記デバイス情報を受けることができなかった場合に、当該方法は、
第２プロンプト情報を表示スクリーンで表示するよう前記無線充電及び無線放電デバイスを制御することであり、前記第２プロンプト情報は、前記無線充電及び無線放電デバイスを前記無線充電クレードルモードから前記無線充電受電モードへ切り替えるべきかどうかをユーザに促すために使用される、前記制御することを更に有する、
請求項２に記載の方法。
【請求項５】
電子デバイスが前記無線充電及び無線放電デバイスと無線接続されていると決定することは、
前記無線充電及び無線放電デバイスのシミュレーション・ピング値が変化するとの検出に応答して、前記電子デバイスが前記無線充電及び無線放電デバイスと無線接続されていると決定すること、又は
前記無線充電及び無線放電デバイスにおける機械的接点の電圧レベルが変化するとの検出に応答して、前記電子デバイスが前記無線充電及び無線放電デバイスと無線接続されていると決定すること、又は
前記無線充電及び無線放電デバイスにおけるホール部品のレベルが変化するとの検出に応答して、前記電子デバイスが前記無線充電及び無線放電デバイスと無線接続されていると決定すること、又は
前記無線充電及び無線放電デバイスの近距離通信モジュールにより前記無線充電及び無線放電デバイスとデバイスが接続されているとの検出に応答して、前記電子デバイスが前記無線充電及び無線放電デバイスと無線接続されていると決定すること
を有する、
請求項１乃至４のうちいずれか一項に記載の方法。
【請求項６】
前記無線充電クレードルデバイスにより前記無線充電及び無線放電デバイスを充電する過程で、当該方法は、
前もってセットされた無線充電通信プロトコルに従って前記無線充電及び無線放電デバイスのステータス情報を前記無線充電クレードルデバイスへ送り、該無線充電クレードルデバイスが、前記無線充電及び無線放電デバイスの前記ステータス情報に基づき、前記無線充電及び無線放電デバイスを充電する出力電力を調整するようにし、前記無線充電及び無線放電デバイスの前記ステータス情報は、電気量、充電電流、バッテリ電圧、又は前記無線充電及び無線放電デバイスの温度情報のうちの少なくとも１つを有する、ことを更に有し、あるいは、
充電電流を前記無線充電受電デバイスへ供給する過程で、当該方法は、
前もってセットされた無線充電通信プロトコルに従って、前記無線充電受電デバイスによって送られた該無線充電受電デバイスのステータス情報を受け、前記無線充電受電デバイスの前記ステータス情報は、電気量、充電電流、バッテリ電圧、又は前記無線充電受電デバイスの温度情報のうちの少なくとも１つを有する、ことと、
前記無線充電受電デバイスの前記ステータス情報に基づき、前記充電電流を前記無線充電受電デバイスへ供給するよう出力電力を調整することと
を更に有する、
請求項１乃至５のうちいずれか一項に記載の方法。
【請求項７】
前記無線充電クレードルデバイスにより前記無線充電及び無線放電デバイスを充電することは、
前記無線充電及び無線放電デバイスを充電するよう、前記無線充電クレードルデバイスによって供給される充電電気エネルギを第１アンテナにより受けることを有し、
充電電流を前記無線充電受電デバイスへ供給することは、
第２アンテナにより前記充電電流を前記無線充電受電デバイスへ供給することを有する、
請求項１乃至６のうちいずれか一項に記載の方法。
【請求項８】
前記第１アンテナ及び前記第２アンテナは同じアンテナである、
請求項７に記載の方法。
【請求項９】
無線充電及び無線放電デバイスであって、
電子デバイスが当該無線充電及び無線放電デバイスと無線接続されていると決定するよう構成される第１決定ユニットと、
前記電子デバイスが当該無線充電及び無線放電デバイスと無線接続されているとの決定に応答して、前記電子デバイスからの情報伝送の有無を判定し、前記情報伝送が受け取られない場合には当該無線充電及び無線放電デバイスの動作モードを切り替えて再度前記情報伝送の有無を判定し、前記情報伝送が受け取られる場合には当該無線充電及び無線放電デバイスの現在の動作モードに対応する前記電子デバイスのタイプを決定するよう構成される第２決定ユニットと、
前記電子デバイスが無線充電クレードルデバイスであるとき、当該無線充電及び無線放電デバイスの無線充電受電モードで、前記無線充電クレードルデバイスにより当該無線充電及び無線放電デバイスを充電するよう構成される充電ユニットと、
前記電子デバイスが無線充電受電デバイスであるとき、当該無線充電及び無線放電デバイスの無線充電クレードルモードで、充電電流を前記無線充電受電デバイスへ供給するよう構成される放電ユニットと
を有する無線充電及び無線放電デバイス。
【請求項１０】
前記第２決定ユニットは具体的に、当該無線充電及び無線放電デバイスの前記無線充電受電モードで当該無線充電及び無線放電デバイスのデバイス情報を前記電子デバイスへ送り、該電子デバイスからフィードバック情報を受けると、前記電子デバイスが前記無線充電クレードルデバイスであると決定するよう構成され、あるいは、
前記第２決定ユニットは具体的に、当該無線充電及び無線放電デバイスの前記無線充電クレードルモードで、前記電子デバイスからデバイス情報を受けると、前記電子デバイスが前記無線充電受電デバイスであると決定するよう構成される、
請求項９に記載の無線充電及び無線放電デバイス。
【請求項１１】
当該無線充電及び無線放電デバイスの前記無線充電受電モードで、当該無線充電及び無線放電デバイスの前記デバイス情報が前記電子デバイスへ送られた後に、前記電子デバイスから前記フィードバック情報を受けることができなかった場合に、前記第２決定ユニットは更に、当該無線充電及び無線放電デバイスを前記無線充電クレードルモードへ切り替え、第２アンテナにより前記電子デバイスからのデバイス情報を受けると、前記電子デバイスが前記無線充電受電デバイスであると決定するよう構成され、あるいは、
当該無線充電及び無線放電デバイスの前記無線充電クレードルモードで、前記電子デバイスの前記デバイス情報を受けることができなかった場合に、前記第２決定ユニットは更に、当該無線充電及び無線放電デバイスを前記無線充電受電モードへ切り替え、第１アンテナにより当該無線充電及び無線放電デバイスの前記デバイス情報を前記電子デバイスへ送り、該電子デバイスから前記フィードバック情報を受けると、前記電子デバイスが前記無線充電クレードルデバイスであると決定するよう構成される、
請求項１０に記載の無線充電及び無線放電デバイス。
【請求項１２】
当該無線充電及び無線放電デバイスは、
表示ユニットを更に有し、該表示ユニットは、
第１プロンプト情報を表示し、前記第１プロンプト情報は、当該無線充電及び無線放電デバイスを前記無線充電受電モードから前記無線充電クレードルモードへ切り替えるべきかどうかをユーザに促すために使用され、あるいは、
第２プロンプト情報を表示し、前記第２プロンプト情報は、当該無線充電及び無線放電デバイスを前記無線充電クレードルモードから前記無線充電受電モードへ切り替えるべきかどうかをユーザに促すために使用される
よう構成される、
請求項１０に記載の無線充電及び無線放電デバイス。
【請求項１３】
前記第１決定ユニットは具体的に、
当該無線充電及び無線放電デバイスのシミュレーション・ピング値が変化するとの検出に応答して、前記電子デバイスが当該無線充電及び無線放電デバイスと無線接続されていると決定し、あるいは
当該無線充電及び無線放電デバイスにおける機械的接点の電圧レベルが変化するとの検出に応答して、前記電子デバイスが当該無線充電及び無線放電デバイスと無線接続されていると決定し、あるいは
当該無線充電及び無線放電デバイスにおけるホール部品のレベルが変化するとの検出に応答して、前記電子デバイスが当該無線充電及び無線放電デバイスと無線接続されていると決定し、あるいは
当該無線充電及び無線放電デバイスの近距離通信モジュールにより当該無線充電及び無線放電デバイスとデバイスが接続されているとの検出に応答して、前記電子デバイスが当該無線充電及び無線放電デバイスと無線接続されていると決定する
よう構成される、
請求項９乃至１２のうちいずれか一項に記載の無線充電及び無線放電デバイス。
【請求項１４】
当該無線充電及び無線放電デバイスは、
前もってセットされた無線充電通信プロトコルに従って当該無線充電及び無線放電デバイスのステータス情報を前記無線充電クレードルデバイスへ送り、該無線充電クレードルデバイスが、当該無線充電及び無線放電デバイスの前記ステータス情報に基づき、当該無線充電及び無線放電デバイスを充電する出力電力を調整するようにし、当該無線充電及び無線放電デバイスの前記ステータス情報は、電気量、充電電流、バッテリ電圧、又は当該無線充電及び無線放電デバイスの温度情報のうちの少なくとも１つを有する、よう構成される送信ユニットを更に有し、あるいは、
当該無線充電及び無線放電デバイスは、
充電電流を前記無線充電受電デバイスへ供給する過程で、前もってセットされた無線充電通信プロトコルに従って、前記無線充電受電デバイスによって送られた該無線充電受電デバイスのステータス情報を受け、前記無線充電受電デバイスの前記ステータス情報は、電気量、充電電流、バッテリ電圧、又は前記無線充電受電デバイスの温度情報のうちの少なくとも１つを有する、よう構成される送信ユニットと、
前記無線充電受電デバイスの前記ステータス情報に基づき、前記充電電流を前記無線充電受電デバイスへ供給するよう出力電力を調整するよう構成される調整ユニットと
を更に有する、
請求項９乃至１３のうちいずれか一項に記載の無線充電及び無線放電デバイス。
【請求項１５】
前記充電ユニットは具体的に、当該無線充電及び無線放電デバイスを充電するよう、前記無線充電クレードルデバイスによって供給される充電電気エネルギを第１アンテナにより受けるよう構成され、
前記放電ユニットは具体的に、第２アンテナにより前記充電電流を前記無線充電受電デバイスへ供給するよう構成される、
請求項９乃至１４のうちいずれか一項に記載の無線充電及び無線放電デバイス。
【請求項１６】
前記第１アンテナ及び前記第２アンテナは同じアンテナである、
請求項１５に記載の無線充電及び無線放電デバイス。
【請求項１７】
無線充電及び無線放電デバイスであって、
無線充電及び無線放電コントローラと、バッテリと、第１アンテナと、第２アンテナとを有し、
前記無線充電及び無線放電コントローラは、電子デバイスが当該無線充電及び無線放電デバイスと無線接続されていると決定するよう構成され、
前記無線充電及び無線放電コントローラは更に、前記電子デバイスが前記無線充電及び無線放電デバイスと無線接続されているとの決定に応答して、前記電子デバイスからの情報伝送の有無を判定し、前記情報伝送が受け取られない場合には前記無線充電及び無線放電デバイスの動作モードを切り替えて再度前記情報伝送の有無を判定し、前記情報伝送が受け取られる場合には前記無線充電及び無線放電デバイスの現在の動作モードに対応する前記電子デバイスのタイプを決定するよう構成され、
前記無線充電及び無線放電コントローラは更に、前記電子デバイスが無線充電クレードルデバイスであるとき、当該無線充電及び無線放電デバイスの無線充電受電モードで、前記無線充電クレードルデバイスにより当該無線充電及び無線放電デバイスを充電するよう構成され、
前記無線充電及び無線放電コントローラは更に、前記電子デバイスが無線充電受電デバイスであるとき、当該無線充電及び無線放電デバイスの無線充電クレードルモードで、充電電流を前記無線充電受電デバイスへ供給するよう構成される、
無線充電及び無線放電デバイス。
【請求項１８】
前記無線充電及び無線放電コントローラは具体的に、
当該無線充電及び無線放電デバイスの前記無線充電受電モードで当該無線充電及び無線放電デバイスのデバイス情報を前記電子デバイスへ送り、該電子デバイスからフィードバック情報を受けると、前記電子デバイスが前記無線充電クレードルデバイスであると決定し、あるいは、
当該無線充電及び無線放電デバイスの前記無線充電クレードルモードで、前記電子デバイスからデバイス情報を受けると、前記電子デバイスが前記無線充電受電デバイスであると決定する
よう構成される、
請求項１７に記載の無線充電及び無線放電デバイス。
【請求項１９】
当該無線充電及び無線放電デバイスの前記無線充電受電モードで、当該無線充電及び無線放電デバイスの前記デバイス情報が前記電子デバイスへ送られた後に、前記電子デバイスの前記フィードバック情報を受けることができなかった場合に、前記無線充電及び無線放電コントローラは更に、
当該無線充電及び無線放電デバイスを前記無線充電クレードルモードへ切り替え、前記第２アンテナにより前記電子デバイスからのデバイス情報を受けると、前記電子デバイスが前記無線充電受電デバイスであると決定するよう構成され、あるいは、
当該無線充電及び無線放電デバイスの前記無線充電クレードルモードで、前記電子デバイスの前記デバイス情報を受けることができなかった場合に、前記無線充電及び無線放電コントローラは更に、
当該無線充電及び無線放電デバイスを前記無線充電受電モードへ切り替え、前記第１アンテナにより当該無線充電及び無線放電デバイスの前記デバイス情報を前記電子デバイスへ送り、該電子デバイスから前記フィードバック情報を受けると、前記電子デバイスが前記無線充電クレードルデバイスであると決定するよう構成される、
請求項１８に記載の無線充電及び無線放電デバイス。
【請求項２０】
当該無線充電及び無線放電デバイスは、表示スクリーンを更に有し、
当該無線充電及び無線放電デバイスの前記無線充電受電モードで、当該無線充電及び無線放電デバイスの前記デバイス情報が前記電子デバイスへ送られた後に、該電子デバイスの前記フィードバック情報を受けることができなかった場合に、前記無線充電及び無線放電コントローラは更に、
第１プロンプト情報を前記表示スクリーンで表示するよう当該無線充電及び無線放電デバイスを制御し、前記第１プロンプト情報は、当該無線充電及び無線放電デバイスを前記無線充電受電モードから前記無線充電クレードルモードへ切り替えるべきかどうかをユーザに促すために使用される、よう構成され、あるいは、
当該無線充電及び無線放電デバイスの前記無線充電クレードルモードで、前記電子デバイスの前記デバイス情報を受けることができなかった場合に、前記無線充電及び無線放電コントローラは更に、
第２プロンプト情報を前記表示スクリーンで表示するよう当該無線充電及び無線放電デバイスを制御し、前記第２プロンプト情報は、当該無線充電及び無線放電デバイスを前記無線充電クレードルモードから前記無線充電受電モードへ切り替えるべきかどうかをユーザに促すために使用される、よう構成される、
請求項１８に記載の無線充電及び無線放電デバイス。
【請求項２１】
前記電子デバイスが当該無線充電及び無線放電デバイスと無線接続されているとの決定に応答して、前記無線充電及び無線放電コントローラは具体的に、
当該無線充電及び無線放電デバイスのシミュレーション・ピング値が変化するとの検出に応答して、前記電子デバイスが当該無線充電及び無線放電デバイスと無線接続されていると決定し、あるいは
当該無線充電及び無線放電デバイスにおける機械的接点の電圧レベルが変化するとの検出に応答して、前記電子デバイスが当該無線充電及び無線放電デバイスと無線接続されていると決定し、あるいは
当該無線充電及び無線放電デバイスにおけるホール部品のレベルが変化するとの検出に応答して、前記電子デバイスが当該無線充電及び無線放電デバイスと無線接続されていると決定し、あるいは
当該無線充電及び無線放電デバイスの近距離通信モジュールにより当該無線充電及び無線放電デバイスとデバイスが接続されているとの検出に応答して、前記電子デバイスが当該無線充電及び無線放電デバイスと無線接続されていると決定する
よう構成される、
請求項１７乃至２０のうちいずれか一項に記載の無線充電及び無線放電デバイス。
【請求項２２】
当該無線充電及び無線放電デバイスの前記バッテリを充電するよう、前記無線充電クレードルデバイスによって供給される充電電気エネルギを前記第１アンテナにより受ける過程で、前記無線充電及び無線放電コントローラは更に、
前もってセットされた無線充電通信プロトコルに従って当該無線充電及び無線放電デバイスのステータス情報を前記無線充電クレードルデバイスへ送り、該無線充電クレードルデバイスが、当該無線充電及び無線放電デバイスの前記ステータス情報に基づき、当該無線充電及び無線放電デバイスを充電する出力電力を調整するようにし、当該無線充電及び無線放電デバイスの前記ステータス情報は、電気量、充電電流、バッテリ電圧、又は当該無線充電及び無線放電デバイスの温度情報のうちの少なくとも１つを有する、よう構成され、あるいは、
前記第２アンテナにより充電電流を前記電子デバイスへ供給する過程で、前記無線充電及び無線放電コントローラは更に、
前もってセットされた無線充電通信プロトコルに従って、前記無線充電受電デバイスによって送られた前記無線充電受電デバイスのステータス情報を受け、前記無線充電受電デバイスの前記ステータス情報は、電気量、充電電流、バッテリ電圧、又は前記無線充電受電デバイスの温度情報のうちの少なくとも１つを有し、
前記無線充電受電デバイスの前記ステータス情報に基づき、充電電流を前記無線充電受電デバイスへ供給するよう出力電力を調整する
よう構成される、
請求項１７乃至２１のうちいずれか一項に記載の無線充電及び無線放電デバイス。
【請求項２３】
前記第１アンテナ及び前記第２アンテナは同じアンテナである、
請求項１７乃至２２のうちいずれか一項に記載の無線充電及び無線放電デバイス。
【発明の詳細な説明】
【技術分野】
【０００１】
本発明の実施形態は、充電／放電分野に、特に、無線充電／放電方法並びに無線充電及び放電デバイスに関係がある。
【背景技術】
【０００２】
無線電磁誘導により、無線充電は表に出ず、低いデバイス摩耗率を有し、ハイテクであり、操作が容易である、などのために、無線充電はますます多くのユーザの間で一般的になっている。従って、より多くの製造業者が、顧客を引き付けるべく無線充電受電デバイスの開発に携わっている。
【０００３】
現在、ますます多くの製造業者が、無線充電に対応するデバイス、例えば、無線充電機能を有している携帯電話機、リストバンド、及びポータブル機器を開発している。
【０００４】
しかし、現在、業界内で無線充電に対応する受電端デバイスは、電気エネルギを受けることしかできず、無線電気エネルギを出力することができない。ユーザが、無線充電機能に対応する２台のデバイスを持って外出する場合に、一方のデバイスの充電が切れると、無線充電クレードルしか、充電が切れているデバイスを充電するために使用され得ず、これは、ユーザに不便を感じさせる。
【発明の概要】
【０００５】
本発明の実施形態は、無線充電／放電方法並びに無線充電及び放電デバイスを提供し、方法における充電及び放電デバイスは、電気エネルギを受けることができ、そして、ユーザ経験を改善するように、電気エネルギを他の電子デバイスへ供給することもできる。
【０００６】
第１の態様に従って、無線充電及び無線放電方法が提供され、当該方法は、電子デバイスが前記無線充電及び無線放電デバイスと無線接続されていると決定することと、前記電子デバイスが無線充電クレードルデバイスであるとき、前記無線充電及び無線放電デバイスの無線充電受電モードで、前記無線充電クレードルデバイスにより前記無線充電及び無線放電デバイスを充電することと、前記電子デバイスが無線充電受電デバイスであるとき、前記無線充電及び無線放電デバイスの無線充電クレードルモードで、充電電流を前記無線充電受電デバイスへ供給することとを含む。従って、本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における方法は、先行技術の課題を解決することができ、すなわち、ユーザが、無線充電機能に対応する２台のデバイスを持って外出する場合に、一方のデバイスの充電が切れると、他方のデバイスが、充電が切れているデバイスを充電するために使用され、それによってユーザ経験を改善し得る。
【０００７】
任意に、実施において、電子デバイスが前記無線充電及び放電デバイスと無線接続されていると決定することは、前記無線充電及び放電デバイスのシミュレーション・ピング値が変化することが検出される場合に、前記電子デバイスが前記無線充電及び放電デバイスと無線接続されていると決定すること、又は前記無線充電及び放電デバイスにおける機械的接触の程度が変化することが検出される場合に、前記電子デバイスが前記無線充電及び放電デバイスと無線接続されていると決定すること、又は前記無線充電及び放電デバイスにおけるホール部品のレベルが変化することが検出される場合に、前記電子デバイスが前記無線充電及び放電デバイスと無線接続されていると決定すること、又は前記無線充電及び放電デバイスとデバイスが接続されていると前記無線充電及び放電デバイスの近距離通信モジュールが検出する場合に、前記電子デバイスが前記無線充電及び放電デバイスと無線接続されていると決定することを含む。例えば、本発明のこの実施形態で、無線充電／放電コントローラは、無線充電アンテナのインダクタンス値を周期的に検出し得る。無線充電受電デバイスが携帯電話機と接続されていない場合に、無線充電アンテナのインダクタンス値は無負荷インダクタンス値である。デバイスが携帯電話機と接続される場合に、インダクタンス値は変化する。インダクタンス値が変化することを検出すると、無線充電／放電コントローラは、電子デバイスが無線充電及び放電デバイスと接続されていると見なす。無線充電／放電コントローラが無線充電アンテナのインダクタンス値を周期的に検出する周期は前もってセットされてよく、ユーザはその周期の値を変更する指示を入力してよいことが理解されるべきである。これは、本発明のこの実施形態において制限されない。他の例として、本発明のこの実施形態で、機械的接触は、無線充電及び放電デバイスに設けられてよい。電子デバイスが無線充電及び放電デバイスと接続されると、機械的接触の程度は変化し、それにより、機械的接触の程度が変化すると、無線充電／放電コントローラは、電子デバイスが無線充電及び放電デバイスと接続されていると決定し得る。他の例として、本発明のこの実施形態で、ホール部品が無線充電及び放電デバイスに組み込まれてよく、磁石が電子デバイスに配置される。電子デバイスが無線充電及び放電デバイスと接続されると、ホール部品は、電子デバイスにおける磁石により出力レベルを変化させ得、それにより、レベルが変更されると、無線充電／放電コントローラは、電子デバイスが無線充電及び放電デバイスと接続されていると決定し得る。他の例として、本発明のこの実施形態で、無線充電及び放電デバイス並びに電子デバイスは両方とも、組み込み近距離通信モジュールを備え、無線充電及び放電デバイスにおける近距離通信モジュールは、近距離通信を実行するデバイスがあるかどうかを判定するようスキャニングを実行してよい。近距離通信モジュールが近距離デバイスを特定すると、無線充電／放電コントローラは、電子デバイスが無線充電及び放電デバイスと接続されていると決定し得る。近距離通信モジュールは、ブルートゥースモジュール、赤外線モジュール、近距離通信（Near  Field  Communication���ＮＦＣ）モジュール、などであってよいことが理解されるべきである。本発明のこの実施形態はそれらに限られない。
【０００８】
任意に、実施において、前記電子デバイスが前記無線充電及び放電デバイスと無線接続されていると決定した後に、当該方法は、前記電子デバイスのタイプを決定することを更に含む。
【０００９】
具体的に、実施において、前記電子デバイスのタイプを決定することは、近距離通信様式で前記電子デバイスによって送られた受信されたデバイス情報に基づき前記電子デバイスの前記タイプを決定すること、又は前記無線充電及び無線放電デバイスによって該無線充電及び無線放電デバイスの前記無線充電受電モードで前記無線充電及び無線放電デバイスのデバイス情報を前記電子デバイスへ送り、該電子デバイスからフィードバック情報を受けると、前記電子デバイスが前記無線充電クレードルデバイスであると決定すること、又は前記無線充電及び無線放電デバイスの前記無線充電クレードルモードで、前記電子デバイスから該電子デバイスのデバイス情報を受けると、前記電子デバイスが前記無線充電受電デバイスであると決定することを含む。
【００１０】
任意に、実施において、前記無線充電及び放電デバイスの前記無線充電受電モードで、前記無線充電及び放電デバイスの前記デバイス情報が前記電子デバイスへ送られた後に、前記電子デバイスの前記フィードバック情報が受け取られない場合に、前記電子デバイスのタイプを決定することは、前記無線充電及び無線放電デバイスを前記無線充電クレードルモードへ切り替え、第２アンテナにより前記電子デバイスからのデバイス情報を受けると、前記電子デバイスが前記無線充電受電デバイスであると決定することを更に含み、あるいは、前記無線充電及び放電デバイスの前記無線充電クレードルモードで、前記電子デバイスの前記デバイス情報が受け取られない場合に、前記電子デバイスのタイプを決定することは、前記無線充電及び無線放電デバイスを前記無線充電受電モードへ切り替え、第１アンテナにより前記無線充電及び無線放電デバイスの前記デバイス情報を前記電子デバイスへ送り、該電子デバイスから前記フィードバック情報を受けると、前記電子デバイスが前記無線充電クレードルデバイスであると決定することを更に含む。具体的に、電子デバイスが無線充電及び放電デバイスと接続されていると無線充電／放電コントローラが決定した後、無線充電／放電コントローラは、最初に、無線充電及び放電デバイスを無線充電受電モードにセットしてよい。無線充電／放電コントローラは、無線充電及び放電デバイスに関する情報を電子デバイスへ送るために異なる負荷を用いて第１アンテナで異なるレベルを生成し、電子デバイスのフィードバック情報を待つ。フィードバック情報がある期間内に受け取られる場合に、電子デバイスは無線充電クレードルデバイスであると決定される。フィードバック情報が受け取られない場合に、電子デバイスは無線充電クレードルデバイスではないと見なされる。次いで、無線充電／放電コントローラは、無線充電及び放電デバイスを無線充電クレードルモードにセットし、第２アンテナを用いて、電子デバイスによってフィードバックされるデバイス情報を待つ。電子デバイスによってフィードバックされたデバイス情報が受け取られる場合に、電子デバイスは無線充電受電デバイスであると決定される。電子デバイスによってフィードバックされたデバイス情報が受け取られない場合に、デバイスアクセスは無効であると見なされる。任意に、電子デバイスのデバイスアクセスが無効と見なされた後、無線充電及び放電デバイスは、デバイスが成功裏に特定されるか又は電子デバイスが切断状態にあるまで、上記の動作を更に繰り返してよい。
【００１１】
代替的に、実施において、前記無線充電及び無線放電デバイスの前記無線充電受電モードで、前記電子デバイスから前記フィードバック情報を受けることができなかった場合に、当該方法は、第１プロンプト情報を表示スクリーンで表示するよう前記無線充電及び無線放電デバイスを制御することであり、前記第１プロンプト情報は、前記無線充電及び放電デバイスを前記無線充電受電モードから前記無線充電クレードルモードへ切り替えるべきかどうかをユーザに促すために使用される、前記制御することを更に有し、あるいは、前記無線充電及び無線放電デバイスの前記無線充電クレードルモードで、前記電子デバイスの前記デバイス情報を受けることができなかった場合に、当該方法は、第２プロンプト情報を表示スクリーンで表示するよう前記無線充電及び無線放電デバイスを制御することであり、前記第２プロンプト情報は、前記無線充電及び無線放電デバイスを前記無線充電クレードルモードから前記無線充電受電モードへ切り替えるべきかどうかをユーザに促すために使用される、前記制御することを更に有する。従って、本発明のこの実施形態で、電子デバイスのタイプが充電及び放電デバイスの現在のモードで特定されない場合には、プロンプト情報が、電子デバイスを特定し、そして、電子デバイスとエネルギをやり取りするために、モードを切り替えるべきかどうかをユーザに促すよう表示スクリーン上に表示されてよい。
【００１２】
任意に、実施において、前記無線充電クレードルデバイスにより前記無線充電及び無線放電デバイスを充電する過程で、当該方法は、前もってセットされた無線充電通信プロトコルに従って前記無線充電及び無線放電デバイスのステータス情報を前記無線充電クレードルデバイスへ送り、該無線充電クレードルデバイスが、前記無線充電及び無線放電デバイスの前記ステータス情報に基づき、前記無線充電及び無線放電デバイスを充電する出力電力を調整するようにし、前記無線充電及び無線放電デバイスの前記ステータス情報は、電気量、充電電流、バッテリ電圧、又は前記無線充電及び無線放電デバイスの温度情報のうちの少なくとも１つを有する、ことを更に有し、あるいは、充電電流を前記無線充電受電デバイスへ供給する過程で、当該方法は、前もってセットされた無線充電通信プロトコルに従って、前記無線充電受電デバイスによって送られた該無線充電受電デバイスのステータス情報を受け、前記無線充電受電デバイスの前記ステータス情報は、電気量、充電電流、バッテリ電圧、又は前記無線充電受電デバイスの温度情報のうちの少なくとも１つを有する、ことと、前記無線充電受電デバイスの前記ステータス情報に基づき、前記充電電流を前記無線充電受電デバイスへ供給するよう出力電力を調整することとを更に含む。
【００１３】
任意に、実施において、前記無線充電クレードルデバイスにより前記無線充電及び放電デバイスを充電することは、前記無線充電及び放電デバイスを充電するよう、前記無線充電クレードルデバイスによって供給される充電電気エネルギを前記第１アンテナにより受けることを含み、充電電流を前記無線充電受電デバイスへ供給することは、前記第２アンテナにより前記充電電流を前記無線充電受電デバイスへ供給することを含む。
【００１４】
任意に、実施において、前記第１アンテナ及び前記第２アンテナは同じアンテナである。
【００１５】
本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。ユーザ経験は改善される。
【００１６】
第２の態様に従って、無線充電及び放電デバイスが提供され、当該充電及び放電デバイスは、第１の態様又は該第１の態様のとり得る実施のうちのいずれか１つに従う方法を実行するよう構成される。具体的に、当該無線充電及び放電デバイスは、方法を実行するよう構成されたユニットを含む。
【００１７】
第３の態様に従って、充電及び放電デバイスが提供され、当該充電及び放電デバイスは、無線充電及び無線放電コントローラと、バッテリと、第１アンテナと、第２アンテナとを含み、前記無線充電及び無線放電コントローラは、電子デバイスが当該無線充電及び放電デバイスと無線接続されていると決定するよう構成され、前記無線充電及び無線放電コントローラは更に、前記電子デバイスが無線充電クレードルデバイスであるとき、当該無線充電及び無線放電デバイスの無線充電受電モードで、前記無線充電クレードルデバイスにより当該無線充電及び無線放電デバイスを充電するよう構成され、前記無線充電及び無線放電コントローラは更に、前記電子デバイスが無線充電受電デバイスであるとき、当該無線充電及び放電デバイスの無線充電クレードルモードで、充電電流を前記無線充電受電デバイスへ供給するよう構成される。本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における充電及び放電デバイスは、先行技術の課題を解決し、ユーザ経験を改善することができる。
【００１８】
任意に、実施において、前記電子デバイスが当該無線充電及び放電デバイスと無線接続されていると決定した後に、前記無線充電及び無線放電コントローラは更に、前記電子デバイスのタイプを決定するよう構成される。
【００１９】
任意に、実施において、前記電子デバイスの前記タイプを決定することに関して、前記無線充電及び無線放電コントローラは具体的に、近距離通信様式で前記電子デバイスによって送られた受信されたデバイス情報に基づき前記電子デバイスの前記タイプを決定し、あるいは、当該無線充電及び放電デバイスの前記無線充電受電モードで、前記第１アンテナを用いて当該無線充電及び放電デバイスのデバイス情報を前記電子デバイスへ送り、該電子デバイスのフィードバック情報が受け取られる場合に、前記電子デバイスが前記無線充電クレードルデバイスであると決定し、あるいは、当該無線充電及び放電デバイスの前記無線充電クレードルモードで、前記電子デバイスによってフィードバックされたデバイス情報が前記第２アンテナを用いて受け取られる場合に、前記電子デバイスが前記無線充電受電デバイスであると決定するよう構成される。
【００２０】
任意に、実施において、当該無線充電及び放電デバイスの前記無線充電受電モードで、当該無線充電及び放電デバイスの前記デバイス情報が前記電子デバイスへ送られた後に、前記電子デバイスの前記フィードバック情報が受け取られない場合に、前記電子デバイスの前記タイプを決定することに関して、前記無線充電／放電コントローラは更に、当該無線充電及び放電デバイスを前記無線充電クレードルモードへ切り替え、前記電子デバイスによってフィードバックされた前記デバイス情報が前記第２アンテナを用いて受け取られる場合に、前記電子デバイスが前記無線充電受電デバイスであると決定するよう構成され、あるいは、当該無線充電及び放電デバイスの前記無線充電クレードルモードで、前記電子デバイスの前記デバイス情報が受け取られない場合に、前記電子デバイスの前記タイプを決定することに関して、前記無線充電／放電コントローラは更に、当該無線充電及び放電デバイスを前記無線充電受電モードへ切り替え、前記第１アンテナを用いて当該無線充電及び放電デバイスの前記デバイス情報を前記電子デバイスへ送り、該電子デバイスの前記フィードバック情報が受け取られる場合に、前記電子デバイスが前記無線充電クレードルデバイスであると決定するよう構成される。
【００２１】
任意に、実施において、当該無線充電及び放電デバイスは、表示スクリーンを更に含み、当該無線充電及び放電デバイスの前記無線充電受電モードで、当該無線充電及び放電デバイスの前記デバイス情報が前記電子デバイスへ送られた後に、該電子デバイスの前記フィードバック情報が受け取られない場合に、前記無線充電／放電コントローラは更に、第１プロンプト情報を前記表示スクリーンで表示するよう当該無線充電及び放電デバイスを制御し、前記第１プロンプト情報は、当該無線充電及び無線放電デバイスを前記無線充電受電モードから前記無線充電クレードルモードへ切り替えるべきかどうかをユーザに促すために使用される、よう構成され、あるいは、当該無線充電及び放電デバイスの前記無線充電クレードルモードで、前記電子デバイスの前記デバイス情報が受け取られない場合に、前記無線充電／放電コントローラは更に、第２プロンプト情報を前記表示スクリーンで表示するよう当該無線充電及び放電デバイスを制御し、前記第２プロンプト情報は、当該無線充電及び無線放電デバイスを前記無線充電クレードルモードから前記無線充電受電モードへ切り替えるべきかどうかをユーザに促すために使用される、よう構成される。
【００２２】
任意に、実施において、前記電子デバイスが当該無線充電及び放電デバイスと無線接続されていると決定することに関して、前記無線充電／無線放電コントローラは具体的に、当該無線充電及び放電デバイスのシミュレーション・パケット・インターネット・グローパー・ピング値が変化することが検出される場合に、前記電子デバイスが当該無線充電及び放電デバイスと無線接続されていると決定し、あるいは、当該無線充電及び放電デバイスにおける機械的接触の程度が変化することが検出される場合に、前記電子デバイスが当該無線充電及び放電デバイスと無線接続されていると決定し、あるいは、当該無線充電及び放電デバイスにおけるホール部品のレベルが変化することが検出される場合に、前記電子デバイスが当該無線充電及び放電デバイスと無線接続されていると決定し、あるいは、当該無線充電及び放電デバイスとデバイスが接続されていると当該無線充電及び放電デバイスの近距離通信モジュールが検出する場合に、前記電子デバイスが当該無線充電及び放電デバイスと無線接続されていると決定するよう構成される。
【００２３】
任意に、実施において、当該無線充電及び放電デバイスの前記バッテリを充電するよう、前記無線充電クレードルデバイスによって供給される充電電気エネルギを前記第１アンテナにより受ける過程で、前記無線充電／放電コントローラは更に、前もってセットされた無線充電通信プロトコルに従って当該無線充電及び放電デバイスのステータス情報を前記無線充電クレードルデバイスへ送り、該無線充電クレードルデバイスが、当該無線充電及び放電デバイスの前記ステータス情報に基づき、当該充電及び放電デバイスを充電する出力電力を調整するようにし、当該無線充電及び放電デバイスの前記ステータス情報は、電気量、充電電流、バッテリ電圧、又は当該無線充電及び放電デバイスの温度情報のうちの少なくとも１つを有する、よう構成され、あるいは、前記第２アンテナにより充電電流を前記電子デバイスへ供給する過程で、前記無線充電／放電コントローラは更に、前もってセットされた無線充電通信プロトコルに従って、前記無線充電受電デバイスによって送られた前記無線充電受電デバイスのステータス情報を受け、前記無線充電受電デバイスの前記ステータス情報は、電気量、充電電流、バッテリ電圧、又は前記無線充電受電デバイスの温度情報のうちの少なくとも１つを有し、前記無線充電受電デバイスの前記ステータス情報に基づき、充電電流を前記無線充電受電デバイスへ供給するよう出力電力を調整するよう構成される。
【００２４】
任意に、実施において、前記第１アンテナ及び前記第２アンテナは同じアンテナである。
【００２５】
第４の態様に従って、無線充電及び放電デバイスが提供され、当該無線充電及び放電デバイスは、プロセッサ及びメモリを含む。前記メモリは、コンピュータプログラムを記憶するよう構成され、前記プロセッサは、前記メモリに記憶されている前記コンピュータプログラムを実行し、第１の態様又は該第１の態様のとり得る実施のうちのいずれか１つに従う方法を実行するよう構成される。
【００２６】
第５の態様に従って、コンピュータ記憶媒体が提供され、前述の無線充電及び放電デバイスによって使用されるコンピュータソフトウェア命令を記憶するよう構成され、該コンピュータソフトウェア命令は、第１態様又は該第１の態様のとり得る実施のうちのいずれか１つに従う方法を実行するために使用される命令を含む。
【００２７】
従って、本発明の実施形態では、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明の実施形態における方法は、先行技術の課題を解決することができ、すなわち、ユーザが、無線充電機能に対応する２台のデバイスを持って外出する場合に、たとえ一方のデバイスの充電が切れるとしても、他方のデバイスが、充電が切れているデバイスを充電するために使用され、それによってユーザ経験を改善し得る。
【図面の簡単な説明】
【００２８】
【図１】本発明の実施形態に従う適用可能なシナリオの概略図である。
【図２】本発明の実施形態に従う他の適用可能なシナリオの概略図である。
【図３】本発明の実施形態に従う充電／放電方法の略フローチャートである。
【図４】本発明の実施形態に従う充電の概略図である。
【図５】本発明の実施形態に従う放電の概略図である。
【図６】本発明の実施形態に従う充電及び放電デバイスの略ブロック図である。
【図７】本発明の他の実施形態に従う充電及び放電デバイスの略ブロック図である。
【図８】本発明の他の実施形態に従う充電及び放電デバイスの略ブロック図である。
【発明を実施するための形態】
【００２９】
以下は、本発明の実施形態における添付の図面を参照して、本発明の実施形態における技術的解決法を明示する。
【００３０】
現在、業界内で無線充電に対応する受電端デバイスは、電気エネルギを受けることしかできず、無線電気エネルギを出力することができず、これはユーザ経験に影響を及ぼすという問題を鑑み、本発明の実施形態は、無線充電及び放電デバイスを巧みに提供する。無線充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明の実施形態における方法は、先行技術の課題を解決することができ、すなわち、ユーザが、無線充電機能に対応する２台のデバイスを持って外出する場合に、たとえ一方のデバイスの充電が切れるとしても、他方のデバイスが、充電が切れているデバイスを充電するために使用され、それによってユーザ経験を改善し得る。
【００３１】
理解及び記載の容易のために、例として、制限なしに、以下は、本願における充電／放電方法並びに充電及び放電デバイスの充電又は放電実行プロセス及び動作について記載する。
【００３２】
本発明の実施形態における充電及び放電デバイスは、無線充電を実施するために、電子デバイス（無線充電クレードルデバイス）から電気エネルギを無線により取得することができることが理解されるべきである。本発明の実施形態における充電及び放電デバイスは、他の電子デバイス（無線充電受電デバイス）を無線により充電することもできる。
【００３３】
具体的に、本発明の実施形態では、無線充電及び放電デバイスが無線により充電され得且つ無線により他の電子デバイスを充電することができるという条件で、無線充電及び放電デバイスは、コンピュータ、スマートフォン、ゲーム機、ウェアラブル機器、携帯型アンドロイド機器（Portable  Android  Device，略して“ＰＡＤ”）、ポータブル機器、無線充電／放電機能を有している無線モバイル電源（Mobile  Power  Pack，ＭＰＰ）（モバイル・パワー・パック又は旅行充電器とも呼ばれることがある。）、などを含んでよい。本発明の実施形態はそれらに限られない。
【００３４】
例えば、図１に示されるように、無線充電及び放電デバイスは、無線充電を実施するよう電子デバイスから電気エネルギを無線により取得し得る。
【００３５】
図１のシナリオで、電子デバイスは無線充電クレードルデバイスである。無線充電クレードルデバイスは、無線充電及び放電デバイスを無線により充電し得る。例えば、無線充電クレードルデバイスは、コンピュータ、スマートフォン、ゲーム機、ウェアラブル機器、携帯型アンドロイド機器（Portable  Android  Device，略して“ＰＡＤ”）、ポータブル機器、又は無線モバイル電源（Mobile  Power  Pack，ＭＰＰ）（モバイル・パワー・パック又は旅行充電器とも呼ばれることがある。）であってよい。無線充電クレードルデバイスはまた、他の充電及び放電デバイスであってもよい。
【００３６】
他の例として、図２に示されるように、無線充電及び放電デバイスは、電子デバイスを無線により充電し得る。
【００３７】
図２のシナリオでは、電子デバイスは無線充電受電デバイスである。無線充電受電デバイスは、無線充電を実施するよう無線充電及び放電デバイスから電気エネルギを無線により取得し得る。例えば、無線充電受電デバイスは、コンピュータ、スマートフォン、ゲーム機、ウェアラブル機器、携帯型アンドロイド機器（Portable  Android  Device，略して“ＰＡＤ”）、又は無線充電機能を有している無線モバイル電源（Mobile  Power  Pack，ＭＰＰ）（モバイル・パワー・パック又は旅行充電器とも呼ばれることがある。）であってよい。無線充電受電デバイスはまた、他の充電及び放電デバイスであってもよい。
【００３８】
本発明の実施形態は、電子デバイスが無線により充電されるか又は無線により他のデバイスを充電することができるという条件で、それらに限られないことが理解されるべきである。
【００３９】
本発明の実施形態で、無線充電及び放電デバイス並びに電子デバイスは、ワイヤレス・パワー・コンソーシアム（Wireless  Power  Consortium，ＷＰＣ）標準（Ｑｉ標準とも呼ばれ得る。）、Ａ４ＷＰ、及びＰＭＡ（Power  Matters  Alliance）標準のような国際的に汎用な標準を用いて充電／放電を実行し得ることが理解されるべきである。なお、本発明の実施形態はそれに限られない。
【００４０】
図３は、本発明の実施形態に従う無線充電／放電方法の略フローチャートである。図３に示される方法３００は、充電及び放電デバイスに適用される。無線充電及び放電デバイスは、無線充電／放電コントローラ、バッテリ、第１アンテナ、及び第２アンテナを含んでよい。無線充電／放電コントローラは、第１アンテナを用いて、無線充電クレードルデバイスによって無線充電及び放電デバイスのバッテリに対して供給された充電電気エネルギを受け得る。無線充電／放電コントローラは、第２アンテナを用いて、充電及び放電デバイスと接続されている電子デバイスへ放電し得る。任意に、無線充電／放電コントローラは、電源管理ユニットを制御することによってバッテリの充電／放電を制御し得る。電源管理ユニットは、独立した管理ユニットであってよく、あるいは、無線充電／放電コントローラと同じユニットであってよいことが理解されるべきである。無線充電／放電コントローラは、独立したコントローラであってよく、あるいは、無線充電及び放電デバイスのプロセッサと同じユニットであってよい。第１アンテナ及び第２アンテナは、２つの独立したアンテナであってよく、あるいは、同じアンテナであってよい。本発明のこの実施形態はそれに限られない。具体的に、図３に示される方法３００は、無線充電及び放電デバイスにおける無線充電／放電コントローラによって実行されてよく、そして、方法３００は、次のステップを含む。
【００４１】
３１０．電子デバイスが無線充電及び放電デバイスと無線により接続されていると決定する。
【００４２】
具体的に、無線充電／放電コントローラは、次の方法のうちの１つにおいて、電子デバイスが無線充電及び放電デバイスと接続されていると決定してよい。
【００４３】
方法１：無線充電及び放電デバイスのシミュレーション・ピング値が変化することが検出される場合に、電子デバイスは無線充電及び放電デバイスと接続されていると決定される。
【００４４】
例えば、本発明のこの実施形態で、無線充電／放電コントローラは、無線充電アンテナのインダクタンス値を周期的に検出してよい。無線充電受電デバイスが携帯電話機と接続されていない場合に、無線充電アンテナのインダクタンス値は無負荷インダクタンス値である。デバイスが携帯電話機と接続される場合に、インダクタンス値は変化する。インダクタンス値が変化することを検出すると、無線充電／放電コントローラは、電子デバイスが無線充電及び放電デバイスと接続されていると見なす。
【００４５】
無線充電／放電コントローラが無線充電アンテナのインダクタンス値を周期的に検出する周期は前もってセットされてよく、ユーザはその周期の値を変更する指示を入力してよいことが理解されるべきである。これは、本発明のこの実施形態において制限されない。
【００４６】
方法２：無線充電及び放電デバイスにおける機械的接触の程度が変化することが検出される場合に、電子デバイスは無線充電及び放電デバイスと接続されていると決定される。
【００４７】
例えば、本発明のこの実施形態で、機械的接触は、無線充電及び放電デバイスに設けられてよい。電子デバイスが無線充電及び放電デバイスと接続されると、機械的接触の程度は変化し、それにより、機械的接触の程度が変化すると、無線充電／放電コントローラは、電子デバイスが無線充電及び放電デバイスと接続されていると決定し得る。
【００４８】
方法３：無線充電及び放電デバイスにおけるホール部品のレベルが変化することが検出される場合に、電子デバイスは無線充電及び放電デバイスと接続されていると決定される。
【００４９】
例えば、本発明のこの実施形態で、ホール部品が無線充電及び放電デバイスに組み込まれてよく、磁石が電子デバイスに配置される。電子デバイスが無線充電及び放電デバイスと接続されると、ホール部品は、電子デバイスにおける磁石により出力レベルを変化させ得、それにより、レベルが変更されると、無線充電／放電コントローラは、電子デバイスが無線充電及び放電デバイスと接続されていると決定し得る。
【００５０】
方法４：デバイスが無線充電及び放電デバイスと接続されていると無線充電及び放電デバイスの近距離通信モジュールが検出する場合に、電子デバイスは無線充電及び放電デバイスと接続されていると決定される。
【００５１】
例えば、本発明のこの実施形態で、無線充電及び放電デバイス並びに電子デバイスは両方とも、組み込み近距離通信モジュールを備え、無線充電及び放電デバイスにおける近距離通信モジュールは、近距離通信を実行するデバイスがあるかどうかを判定するようスキャニングを実行してよい。近距離通信モジュールが近距離デバイスを特定すると、無線充電／放電コントローラは、電子デバイスが無線充電及び放電デバイスと接続されていると決定し得る。
【００５２】
近距離通信モジュールは、ブルートゥースモジュール、赤外線モジュール、近距離通信（Near  Field  Communication，ＮＦＣ）モジュール、などであってよいことが理解されるべきである。本発明のこの実施形態はそれらに限られない。
【００５３】
任意に、電子デバイスが無線充電及び放電デバイスと接続されていると決定された後に、方法は、電子デバイスのタイプを決定することを更に含んでよい。
【００５４】
具体的に、無線充電／放電コントローラは、複数の方法で電子デバイスのタイプを決定し得る。例えば、無線充電／放電コントローラは、次の方法のうちの１つにおいて電子デバイスのタイプを決定し得る。
【００５５】
方法１：無線充電／放電コントローラは、近距離通信様式で電子デバイスによって送られた受信されたデバイス情報に基づき電子デバイスのタイプを決定する。
【００５６】
具体的に、電子デバイスが無線充電及び放電デバイスと接続されていると無線充電及び放電デバイスが決定した後、無線充電及び放電デバイスの無線通信モジュールは、電子デバイスの無線通信モジュールへの接続を確立する。電子デバイスは、デバイス情報を無線充電及び放電デバイスへ送ってよく、ここで、デバイス情報は、電子デバイスのタイプを示すために使用され、無線充電及び放電デバイスは、デバイス情報に基づき電子デバイスのタイプを決定し得る。
【００５７】
方法２：無線充電及び放電デバイスの無線充電受電モードにおいて、無線充電／放電コントローラは、第１アンテナを用いて無線充電及び放電デバイスのデバイス情報を電子デバイスへ送り、電子デバイスのフィードバック情報が受け取られる場合に、電子デバイスが無線充電クレードルデバイスであると決定し、あるいは、
無線充電及び放電デバイスの無線充電クレードルモードにおいて、電子デバイスによってフィードバックされたデバイス情報が第２アンテナを用いて受け取られる場合に、無線充電／放電コントローラは、電子デバイスが無線充電受電デバイスであると決定する。
【００５８】
更に、方法２では、無線充電及び放電デバイスの無線充電受電モードで、無線充電及び放電デバイスのデバイス情報が電子デバイスへ送られた後に、電子デバイスのフィードバック情報が受け取られない場合に、無線充電／放電コントローラは更に、無線充電及び放電デバイスを無線充電クレードルモードへ切り替え、電子デバイスによってフィードバックされたデバイス情報が第２アンテナを用いて受け取られる場合に、電子デバイスが無線充電受電デバイスであると決定してよい。
【００５９】
方法２において、無線充電及び放電デバイスの無線充電クレードルモードで、電子デバイスのデバイス情報が受け取られない場合に、無線充電／放電コントローラは更に、無線充電及び放電デバイスを無線充電受電モードへ切り替え、第１アンテナを用いて無線充電及び放電デバイスのデバイス情報を電子デバイスへ送り、電子デバイスのフィードバック情報が受け取られる場合に、電子デバイスが無線充電クレードルデバイスであると決定してよい。
【００６０】
具体的に、電子デバイスが無線充電及び放電デバイスと接続されていると無線充電及び放電デバイスが決定した後、無線充電／放電コントローラは、最初に、無線充電及び放電デバイスを無線充電受電モードにセットしてよい。無線充電／放電コントローラは、無線充電及び放電デバイスに関する情報を電子デバイスへ送るために異なる負荷を用いて第１アンテナで異なるレベルを生成し、電子デバイスのフィードバック情報を待つ。フィードバック情報がある期間内に受け取られる場合に、電子デバイスは無線充電クレードルデバイスであると決定される。フィードバック情報が受け取られない場合に、電子デバイスは無線充電クレードルデバイスではないと見なされる。次いで、無線充電／放電コントローラは、無線充電及び放電デバイスを無線充電クレードルモードにセットし、第２アンテナを用いて、電子デバイスによってフィードバックされるデバイス情報を待つ。電子デバイスによってフィードバックされたデバイス情報が受け取られる場合に、電子デバイスは無線充電受電デバイスであると決定される。電子デバイスによってフィードバックされたデバイス情報が受け取られない場合に、デバイスアクセスは無効であると見なされる。任意に、電子デバイスのデバイスアクセスが無効と見なされた後、無線充電及び放電デバイスは、デバイスが成功裏に特定されるか又は電子デバイスが切断状態にあるまで、上記の動作を更に繰り返してよい。
【００６１】
上記の説明では、無線充電受電モード又は無線充電クレードルモードにおいて、電子デバイスのタイプが特定される前に、無線充電／放電コントローラは、モード切り替えを自動で行い、電子デバイスのタイプを特定し続ける。
【００６２】
代替的に、本発明のこの実施形態で、無線充電／放電コントローラは、モード切替を自動で行うことができず、ユーザは、メニューを用いて無線充電及び放電デバイスのモードを手動で切り替える必要がある。
【００６３】
ユーザが無線充電／放電モードを手動で切り替える必要があるシナリオでは、無線充電及び放電デバイスの無線充電受電モードで無線充電／放電コントローラが無線充電及び放電デバイスのデバイス情報を電子デバイスへ送った後に、電子デバイスのフィードバック情報が受け取られない場合に、方法は、第１プロンプト情報を表示スクリーンで表示するよう無線充電及び放電デバイスを制御することを更に含み、ここで、第１プロンプト情報は、無線充電及び放電デバイスを無線充電受電モードから無線充電クレードルモードへ切り替えるべきかどうかをユーザに促すために使用され、あるいは、
無線充電及び放電デバイスの無線充電クレードルモードで、電子デバイスのデバイス情報が受け取られない場合に、方法は、第２プロンプト情報を表示スクリーンで表示するよう無線充電及び放電デバイスを制御することを更に含み、ここで、第２プロンプト情報は、無線充電及び放電デバイスを無線充電クレードルモードから無線充電受電モードへ切り替えるべきかどうかをユーザに促すために使用される。
【００６４】
従って、本発明のこの実施形態で、電子デバイスのタイプが充電及び放電デバイスの現在のモードで特定されない場合には、プロンプト情報が、電子デバイスを特定し、そして、電子デバイスとエネルギをやり取りするために、モードを切り替えるべきかどうかをユーザに促すよう表示スクリーン上に表示されてよい。
【００６５】
電子デバイスのタイプが決定された後、充電及び放電デバイスは、電子デバイスを充電するか、又は電子デバイスによって供給された電気エネルギを受け得る。詳細については、次のステップ３２０における説明を参照されたい。
【００６６】
３２０．電子デバイスが無線充電クレードルデバイスである場合に、無線充電及び放電デバイスの無線充電受電モードで、無線充電クレードルデバイスにより無線充電及び放電デバイスを充電する。
【００６７】
具体的に、無線充電／放電コントローラは、無線充電及び放電デバイスのバッテリを充電するよう、第１アンテナを用いて、無線充電クレードルデバイスによって供給される充電電気エネルギを受けてよい。
【００６８】
任意に、無線充電クレードルデバイスにより無線充電及び放電デバイスを充電する過程で、方法は、前もってセットされた無線充電通信プロトコルに従って無線充電及び放電デバイスのステータス情報を無線充電クレードルデバイスへ送り、無線充電クレードルデバイスが、無線充電及び放電デバイスのステータス情報に基づき、充電及び放電デバイスを充電する出力電力を調整するようにすることを更に含み、ここで、無線充電及び放電デバイスのステータス情報は、次のもの：電気量、充電電流、バッテリ電圧、又は無線充電及び放電デバイスの温度情報のうちの少なくとも１つを含む。
【００６９】
３３０．電子デバイスが無線充電受電デバイスである場合に、無線充電受電デバイスの無線充電クレードルモードで、充電電流を無線充電受電デバイスへ供給する。
【００７０】
具体的に、無線充電／放電コントローラは、第２アンテナを用いて電子デバイスへ充電電流を供給してよい。
【００７１】
任意に、充電電流を無線充電受電デバイスへ供給する過程で、方法は、
前もってセットされた無線充電通信プロトコルに従って、無線充電受電デバイスによって送られた無線充電受電デバイスのステータス情報を受け、無線充電受電デバイスのステータス情報は、次のもの：電気量、充電電流、バッテリ電圧、又は無線充電受電デバイスの温度情報のうちの少なくとも１つを含む、ことと、
無線充電受電デバイスのステータス情報に基づき、充電電流を無線充電受電デバイスへ供給するよう出力電力を調整することと
を更に含む。
【００７２】
本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における方法は、先行技術の課題を解決することができ、すなわち、ユーザが、無線充電機能に対応する２台のデバイスを持って外出する場合に、一方のデバイスの充電が切れると、他方のデバイスが、充電が切れているデバイスを充電するために使用され、それによってユーザ経験を改善し得る。
【００７３】
例えば、図４に示されるように、電子デバイスは無線充電クレードルデバイスである。無線充電受電モードで、無線充電及び放電デバイスは、無線充電及び放電デバイスのバッテリを充電するよう、第１アンテナを用いて、無線充電クレードルデバイスによって供給される充電電気エネルギを受ける。このシナリオでは、無線充電及び放電デバイスのバッテリは充電状態にある。
【００７４】
図５に示されるように、電子デバイスは無線充電受電デバイスであり、無線充電及び放電デバイスは無線充電クレードルモードにあり、第２アンテナを用いて無線充電受電デバイスへ充電電流を供給する。このシナリオでは、無線充電及び放電デバイスのバッテリは放電状態にある。
【００７５】
図４及び図５に示されるシナリオを参照して、自動及び手動様式の観点から、以下は、本発明のこの実施形態における無線充電及び放電デバイスの具体的な充電／放電プロセスについて別個に記載する。
【００７６】
自動様式において、本発明のこの実施形態における充電及び放電デバイスは、電子デバイスのタイプに応じて自動的に無線充電受電モード又は無線充電クレードルモードへ切り替わることができる。例えば、無線充電クレードルデバイスに載置されている場合に、無線充電及び放電デバイスは、無線充電受電モードで、無線充電クレードルデバイスから出力される電気エネルギを受ける。無線充電に対応する電子デバイス（すなわち、無線充電受電デバイス）が充電及び放電デバイスと接続される場合には、無線充電及び放電デバイスは、電子デバイスを充電するよう自動的に無線充電クレードルモードへ切り替わる。
【００７７】
手動様式において、本発明のこの実施形態における充電及び放電デバイスは、デフォルトで無線充電受電モードにある。無線充電クレードルモードが使用される必要がある場合には、ユーザは、充電及び放電デバイスの設定メニューを用いて、充電及び放電デバイスを無線充電クレードルモードに手動でセットする必要がある。充電及び放電デバイスが無線充電クレードルモードにある場合に、充電及び放電デバイスは、エネルギを放射することしかできず、他の無線充電クレードルデバイスから放射されるエネルギを受けることができない。充電及び放電デバイスが無線充電クレードルモードから出る必要がある場合に、ユーザは、設定メニューを用いて、充電及び放電デバイスを無線充電受電モードに手動でセットする必要がある。充電及び放電デバイスが無線充電受電モードにある場合に、充電及び放電デバイスはエネルギを受けることしかできず、エネルギを放射することができない。充電及び放電デバイスが無線充電受電モードから出る必要がある場合に、ユーザは、設定メニューを用いて、充電及び放電デバイスを無線充電クレードルモードに手動でセットする必要がある。
【００７８】
以下は最初に、自動様式における無線充電及び放電デバイスの具体的な充電／放電プロセスについて記載する。
【００７９】
具体的に、無線充電及び放電デバイス（例えば、携帯電話機）は、当初は無線充電受電デバイス走査モードにあり、無線充電及び放電デバイスと接続する、無線充電に対応する電子デバイスがあるかどうかを判定するようスキャンを実行するために、無線充電受電デバイス走査信号を周期的に送る。
【００８０】
具体的に、アクセス識別プロセスについては、上記のステップ３１０における説明を参照されたく、詳細はここで再度記載されない。
【００８１】
無線充電及び放電デバイスが無線充電クレードルデバイスに載置されると、無線充電及び放電デバイスは、無線充電クレードルデバイスのアクセスを識別し、無線充電クレードルデバイスと通信する。この場合に、充電及び放電デバイスは、無線充電受電モードへ切り替わり、無線充電クレードルデバイスから電気エネルギを得る。充電プロセスにおいて、充電及び放電デバイス並びに無線充電クレードルデバイスは、無線充電通信プロトコルに従う。充電及び放電デバイスは、電気量、充電電流、バッテリ電圧、並びに充電及び放電デバイスの温度のような情報を無線充電クレードルデバイスに周期的に報告し、それにより、無線充電クレードルデバイスは出力電力を調整し、充電プロシージャを制御する。充電及び放電デバイスが十分に充電された後に、無線充電及び放電デバイスは、満充電情報を無線充電クレードルデバイスへ送り、無線充電クレードルデバイスは、関連する情報を受け取った後に無線充電及び放電デバイスを充電するのを止めるが、依然として周期通信状態を維持する。無線充電及び放電デバイスが無線充電クレードルデバイスから外された後、無線充電及び放電デバイスは、無線充電クレードルデバイスと通信することができない。無線充電及び放電デバイスは無線充電受電モードを終了し、無線充電受電デバイス走査モードに再び入る。
【００８２】
無線充電に対応する電子デバイス、すなわち、無線充電受電デバイス（例えば、リストバンド）が無線充電及び放電デバイス（例えば、携帯電話機）に載置されると、無線充電及び放電デバイスは、無線充電受電デバイスのアクセスを識別し、無線充電受電デバイスと通信し、アクセスされているデバイスがリストバンドデバイスであると特定する。この場合に、無線充電及び放電デバイスは、無線充電受電デバイスを充電するよう無線充電クレードルモードへ切り替わる。充電プロセスにおいて、充電及び放電デバイス並びに無線充電受電デバイスは、無線充電通信プロトコルに従う。無線充電受電デバイスは、電気量、充電電流、バッテリ電圧、並びに無線充電受電デバイスの温度のような情報を無線充電及び放電デバイスに周期的に報告し、それにより、無線充電及び放電デバイスは出力電力を調整し、充電プロシージャを制御する。無線充電受電デバイスが十分に充電された後に、無線充電受電デバイスは、満充電情報を無線充電及び放電デバイスへ送り、無線充電及び放電デバイスは、関連する情報を受け取った後に無線充電受電デバイスを充電するのを止めるが、依然として周期通信状態を維持する。無線充電受電デバイスが無線充電及び放電デバイスから外された後、無線充電及び放電デバイスは、無線充電受電デバイスと通信することができない。無線充電及び放電デバイスは無線充電クレードルモードを終了し、無線充電受電デバイス走査モードに再び入る。
【００８３】
以下は、手動様式における無線充電及び放電デバイスの具体的な充電／放電プロセスについて記載する。
【００８４】
具体的に、逆方向の無線充電に対応する充電及び放電デバイスは、当初は無線充電受電モードにある。この場合に、無線充電及び放電デバイスが無線充電クレードルデバイスに載置されると、無線充電及び放電デバイスは、無線充電クレードルデバイスとの通信を確立し、デバイス関連情報を報告する。無線充電クレードルデバイスは、無線充電及び放電デバイスによって報告された情報に基づき出力電力を制御し、無線充電及び放電デバイスは、無線充電クレードルデバイスから電気エネルギを得る。充電プロセスにおいて、充電及び放電デバイス並びに無線充電クレードルデバイスは、無線充電通信プロトコルに従う。無線充電及び放電デバイスは、電気量、充電電流、バッテリ電圧、並びに充電及び放電デバイスの温度のような情報を無線充電クレードルデバイスに周期的に報告し、それにより、無線充電クレードルデバイスは出力電力を調整し、充電プロシージャを制御する。無線充電及び放電デバイスが十分に充電された後に、無線充電及び放電デバイスは、満充電情報を無線充電クレードルデバイスへ送り、無線充電クレードルデバイスは、関連する情報を受け取った後に無線充電及び放電デバイスを充電するのを止めるが、依然として周期通信状態を維持する。無線充電及び放電デバイスが無線充電クレードルデバイスから外された後、無線充電及び放電デバイスは、無線充電クレードルデバイスと通信することができず、現在の充電クレードルとの通信を終了するが依然として無線充電受電モードにあり、電気エネルギを受けるよう無線充電クレードルデバイスと接続するのを待つ。
【００８５】
無線充電及び放電デバイスが無線充電受電モードにある場合に、無線充電受電デバイス（例えば、リストバンド）が無線充電及び放電デバイスに載置されるならば、無線充電受電デバイスは識別され得ず、無線充電及び放電デバイスは無線充電受電デバイスを充電することができない。
【００８６】
無線充電受電デバイスが充電される必要がある場合に、ユーザは、無線充電及び放電デバイスのメニューを用いて無線充電及び放電デバイスを無線充電クレードルモードにセットするように指示される必要がある。この場合に、無線充電受電デバイスが無線充電及び放電デバイスに載置されると、無線充電受電デバイスとの接続が識別される。無線充電及び放電デバイスは、無線充電受電デバイスとの通信を確立し、無線充電受電デバイスの関連するデバイスを取得する。無線充電及び放電デバイスは、無線充電受電デバイスを充電するよう、得られた情報に基づき無線充電出力電力を制御する。充電プロセスにおいて、充電及び放電デバイス並びに無線充電受電デバイスは、無線充電通信プロトコルに従う。無線充電受電デバイスは、電気量、充電電流、バッテリ電圧、並びに無線充電受電デバイスの温度のような情報を無線充電及び放電デバイスに周期的に報告し、それにより、無線充電及び放電デバイスは出力電力を調整し、充電プロシージャを制御する。無線充電受電デバイスが十分に充電された後に、無線充電受電デバイスは、満充電情報を無線充電及び放電デバイスへ送り、無線充電及び放電デバイスは、関連する情報を受け取った後に無線充電受電デバイスを充電するのを止めるが、依然として周期通信状態を維持する。無線充電受電デバイスが無線充電及び放電デバイスから外された後、無線充電及び放電デバイスは、無線充電受電デバイスと通信することができない。無線充電及び放電デバイスは、無線充電受電デバイスとの通信を終了するが依然として無線充電クレードルモードにあり、次のデバイスを充電するのを待つ。
【００８７】
無線充電及び放電デバイスが無線充電クレードルモードにセットされる場合に、無線充電及び放電デバイスは、外部の無線充電クレードルデバイスから充電電気エネルギを受けることができない。無線充電及び放電デバイスが無線により充電される必要がある場合には、ユーザは、無線充電及び放電デバイスのメニューを用いて無線充電及び放電デバイスが無線充電クレードルモードから出ることを可能にし、無線充電及び放電デバイスを無線充電受電モードにセットするように指示される必要がある。
【００８８】
図６は、本発明の実施形態に従う無線充電及び放電デバイスの略ブロック図である。図６に示される無線充電及び放電デバイス６００は、
電子デバイスが無線充電及び放電デバイスと無線接続されていると決定するよう構成される第１決定ユニット６１０と、
電子デバイスが無線充電クレードルデバイスであるとき、無線充電及び放電デバイスの無線充電受電モードで、無線充電クレードルデバイスにより無線充電及び放電デバイスを充電するよう構成される充電ユニット６２０と、
電子デバイスが無線充電受電デバイスであるとき、無線充電及び放電デバイスの無線充電クレードルモードで、充電電流を無線充電受電デバイスへ供給するよう構成される放電ユニット６３０と
を含む。
【００８９】
本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における充電及び放電デバイスは、先行技術の課題を解決し、ユーザ経験を改善することができる。
【００９０】
任意に、他の実施形態で、無線充電及び放電デバイスは、
電子デバイスが無線充電及び放電デバイスと無線接続されていると第１決定ユニットが決定した後に、電子デバイスのタイプを決定するよう構成される第２決定ユニットを更に含む。
【００９１】
任意に、他の実施形態で、第２決定ユニットは具体的に、近距離通信様式で電子デバイスによって送られた受信されたデバイス情報に基づき電子デバイスのタイプを決定するよう構成され、あるいは、
第２決定ユニットは具体的に、無線充電及び放電デバイスの無線充電受電モードで、無線充電及び放電デバイスのデバイス情報を電子デバイスへ送り、電子デバイスのフィードバック情報が受け取られる場合に、電子デバイスが無線充電クレードルデバイスであると決定するよう構成され、あるいは、
第２決定ユニットは具体的に、無線充電及び放電デバイスの無線充電クレードルモードで、電子デバイスによってフィードバックされたデバイス情報が受け取られる場合に、電子デバイスが無線充電受電デバイスであると決定するよう構成される。
【００９２】
任意に、他の実施形態で、無線充電及び放電デバイスの無線充電受電モードで、無線充電及び放電デバイスのデバイス情報が電子デバイスへ送られた後に、第２電子デバイスのフィードバック情報が受け取られない場合に、第２決定ユニットは更に、無線充電及び放電デバイスを無線充電クレードルモードへ切り替え、電子デバイスによってフィードバックされたデバイス情報が第２アンテナを用いて受け取られる場合に、電子デバイスが無線充電受電デバイスであると決定するよう構成され、あるいは、
無線充電及び放電デバイスの無線充電クレードルモードで、電子デバイスのデバイス情報が受け取られない場合に、第２決定ユニットは更に、無線充電及び放電デバイスを無線充電受電モードへ切り替え、第１アンテナを用いて無線充電及び放電デバイスのデバイス情報を電子デバイスへ送り、電子デバイスのフィードバック情報が受け取られる場合に、電子デバイスが無線充電クレードルデバイスであると決定するよう構成される。
【００９３】
任意に、他の実施形態で、無線充電及び放電デバイスは、
無線充電及び放電デバイスの無線充電受電モードで、電子デバイスのフィードバック情報が受け取られない場合に、第１プロンプト情報を表示スクリーンで表示するように無線充電及び放電デバイスを制御し、ここで、第１プロンプト情報は、無線充電及び放電デバイスを無線充電受電モードから無線充電クレードルモードへ切り替えるべきかどうかをユーザに促すために使用され、あるいは、
無線充電及び放電デバイスの無線充電クレードルモードで、電子デバイスのデバイス情報が受け取られない場合に、第２プロンプト情報を表示スクリーンで表示するように無線充電及び放電デバイスを制御し、ここで、第２プロンプト情報は、無線充電及び放電デバイスを無線充電クレードルモードから無線充電受電モードへ切り替えるべきかどうかをユーザに促すために使用される
よう構成される表示ユニットを更に含む。
【００９４】
任意に、他の実施形態で、第１決定ユニットは具体的に、
無線充電及び放電デバイスのシミュレーション・ピング値が変化することが検出される場合に、電子デバイスが無線充電及び放電デバイスと無線接続されていると決定し、あるいは、
無線充電及び放電デバイスにおける機械的接触の程度が変化することが検出される場合に、電子デバイスが無線充電及び放電デバイスと無線接続されていると決定し、あるいは、
無線充電及び放電デバイスにおけるホール部品のレベルが変化することが検出される場合に、電子デバイスが無線充電及び放電デバイスと無線接続されていると決定し、あるいは、
デバイスが無線充電及び放電デバイスと接続されると無線充電及び放電デバイスの近距離通信モジュールが検出する場合に、電子デバイスが無線充電及び放電デバイスと無線接続されていると決定する
よう構成される。
【００９５】
任意に、他の実施形態で、無線充電及び放電デバイスは、
無線充電クレードルデバイスにより無線充電及び放電デバイスを充電する過程で、前もってセットされた無線充電通信プロトコルに従って無線充電及び放電デバイスのステータス情報を無線充電クレードルデバイスへ送り、無線充電クレードルデバイスが、無線充電及び放電デバイスのステータス情報に基づき、無線充電及び放電デバイスを充電する出力電力を調整するようにするよう構成される送信ユニットを更に含み、ここで、無線充電及び放電デバイスのステータス情報は、次のもの：電気量、充電電流、バッテリ電圧、又は無線充電及び放電デバイスの温度情報のうちの少なくとも１つを含み、あるいは、
無線充電及び放電デバイスは、
充電電流を無線充電受電デバイスへ供給する過程で、前もってセットされた無線充電通信プロトコルに従って、無線充電受電デバイスによって送られた無線充電受電デバイスのステータス情報を受け、ここで、無線充電受電デバイスのステータス情報は、次のもの：電気量、充電電流、バッテリ電圧、又は無線充電受電デバイスの温度情報のうちの少なくとも１つを含む、よう構成される送信ユニットと、
無線充電受電デバイスのステータス情報に基づき、充電電流を無線充電受電デバイスへ供給するよう出力電力を調整するよう構成される調整ユニットと
を更に含む。
【００９６】
任意に、他の実施形態で、充電ユニットは具体的に、無線充電及び放電デバイスを充電するよう、無線充電クレードルデバイスによって供給される充電電気エネルギを第１アンテナにより受けるよう構成され、
放電ユニットは具体的に、第２アンテナにより充電電流を無線充電受電デバイスへ供給するよう構成される。
【００９７】
任意に、他の実施形態で、第１アンテナ及び第２アンテナは同じアンテナである。
【００９８】
図６に示される無線充電及び放電デバイス６００は、図１乃至図５における方法実施形態の中の無線充電／放電方法の様々なプロセスを実装可能であることが理解されるべきである。無線充電及び放電デバイス６００内のモジュール動作及び／又は機能は、図１乃至図５における方法実施形態の中の対応するプロシージャを実装するために別々に使用される。詳細については、上記の方法実施形態における記載を参照されたい。繰り返しを避けるよう、詳細な説明はここでは適切に省略される。
【００９９】
図７は、本発明の実施形態に従う無線充電及び放電デバイスの略構造図である。図７に示されるように、無線充電及び放電デバイス７００は、無線充電／放電コントローラ７１０、バッテリ７２０、第１アンテナ７３０、及び第２アンテナ７４０を含む。
【０１００】
無線充電／放電コントローラは、電子デバイスが無線充電及び放電デバイスと無線接続されていると決定するよう構成される。
【０１０１】
無線充電／放電コントローラは更に、電子デバイスが無線充電クレードルデバイスであるとき、無線充電及び放電デバイスの無線充電受電モードで、無線充電及び放電デバイスのバッテリを充電するために、第１アンテナを用いて、無線充電クレードルデバイスによって供給される充電電気エネルギを受けるよう構成される。
【０１０２】
無線充電／放電コントローラは更に、電子デバイスが無線充電受電デバイスであるとき、無線充電及び放電デバイスの無線充電クレードルモードで、第２アンテナを用いて電子デバイスへ充電電流を供給するよう構成される。
【０１０３】
任意に、無線充電／放電コントローラ７１０は、電源管理ユニットを制御することによってバッテリ７２０の充電／放電を制御してよい。
【０１０４】
電源管理ユニットは、独立した管理ユニットであってよく、あるいは、無線充電／放電コントローラ７１０と同じユニットであってよく、且つ、無線充電／放電コントローラ７１０は、独立制御ユニットであってよく、あるいは、無線充電及び放電デバイスのプロセッサと同じユニットであってよいことが理解されるべきである。
【０１０５】
更に、第１アンテナ７３０及び第２アンテナ７４０は、２つの独立したアンテナであってよく、あるいは、同じアンテナであってよいことが理解されるべきである。本発明のこの実施形態はそれに限られない。
【０１０６】
本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における方法は、先行技術の課題を解決し、ユーザ経験を改善することができる。
【０１０７】
本発明のこの実施形態における第１アンテナ及び第２アンテナは、無線電磁誘導チャネルであることが理解されるべきである。無線充電及び放電デバイスが無線充電受電モードにある場合に、第２アンテナは、無線充電クレードルデバイスから放射されるエネルギを受けるために使用される。無線充電及び放電デバイスが無線充電クレードルモードにある場合に、第１アンテナは、エネルギを外部デバイスへ放射するために使用される。加えて、本発明のこの実施形態における第１アンテナ及び第２アンテナはまた、通信信号を送信するためにも使用される。第１アンテナ及び第２アンテナが同じアンテナである場合に、アンテナは時分割様式で多重化され、無線充電及び放電デバイスが無線充電受電モードにあるときには、無線充電クレードルから放射されるエネルギを受けるために使用され、無線充電及び放電デバイスが無線充電クレードルモードにあるときには、エネルギを外部デバイスへ放射するために使用される。
【０１０８】
無線充電／放電コントローラは、無線充電プロセスを制御し、無線充電プロトコルを使用して携帯電話機と充電クレードル又はリストバンドとの間の通信を制御する、例えば、電子デバイスのアクセスを決定し、電子デバイスの特性を制御する、という主要な機能を備えることが理解されるべきである。無線充電／放電コントローラは更に、携帯電話機の異なるモードに基づきエネルギ変換を実行するよう構成される。エネルギ変換機能は、無線充電及び放電デバイスが無線充電受電モードにある場合には、無線充電アンテナによって受け取られた無線エネルギを、電源管理ユニットによって使用され得る直流電力に変換し、無線充電及び放電デバイスが無線充電クレードルモードにある場合には、電源管理ユニットによって供給される直流電力を、無線充電アンテナから放射され得る無線エネルギに変換することを主として意味する。無線充電／放電コントローラは更に、送信電力を制御するよう構成される。具体的に、無線充電及び放電デバイスが無線充電クレードルモードにある場合に、無線充電／放電コントローラは、出力電力を制御するために、電子デバイスによって報告される情報に基づき変調電力を制御する。
【０１０９】
電源管理ユニットは、無線充電及び放電デバイスが無線充電受電モードにある場合には、無線充電／放電コントローラによって出力される直流電力を、バッテリによって受電可能であってバッテリに蓄積されるべきである電気エネルギに変換し、充電電流、充電電圧、充電温度、及びバッテリレベルを制御し、無線充電及び放電デバイスが充電クレードルモードにある場合には、バッテリ電圧を、無線充電／放電コントローラが作動することができる電圧に昇圧し、無線充電／放電コントローラによって転送されるリストバンド電力要件に基づき出力電圧及び出力電流を調整するよう構成されることが理解されるべきである。
【０１１０】
実際の適用では、電源管理ユニットは、システム複雑性又は解決法に応じて、独立して配置されてもよく、又は無線充電／放電コントローラに組み込まれてもよいことが理解されるべきである。これは、本発明のこの実施形態において制限されない。
【０１１１】
バッテリは、エネルギ蓄積モジュールとして使用される。無線充電及び放電デバイスが無線充電受電モードにある場合に、バッテリは、無線充電アンテナ、無線充電／放電コントローラ、及び電源管理ユニットを用いて充電され、無線充電及び放電デバイスが無線充電クレードルモードにある場合に、エネルギは、電源管理ユニット、無線充電／放電コントローラ、及び無線充電アンテナを用いて放射される。
【０１１２】
本発明のこの実施形態では、プロセッサは、無線充電及び放電デバイスシステムの全体的ステータスに基づき電源管理ユニット及び無線充電／放電コントローラの作動ステータスを制御し、システム全体の作動ステータスを協調させ、且つ、ユーザが無線充電及び放電デバイスを手動で制御することができるようにＵＩインターフェイスを提供するために主として使用されることが理解されるべきである。本発明のこの実施形態で、プロセッサは必須モジュールではなく、プロセッサの機能は電源管理ユニット又は無線充電／放電コントローラに実装されてもよいことが理解されるべきである。本発明のこの実施形態はそれに限られない。
【０１１３】
本発明のこの実施形態で、無線充電／放電コントローラ７１０が充電又は放電を行うために無線充電及び放電デバイスを制御するプロセスについては、図１乃至図５における上記の対応する記載を参照されたい。詳細な説明は、ここでは適切に省略される。
【０１１４】
任意に、他の実施形態で、電子デバイスが無線充電及び放電デバイスと接続されていると決定することに関して、無線充電／放電コントローラは具体的に、
無線充電及び放電デバイスのシミュレーション・パケット・インターネット・グローパー・ピング値が変化することが検出される場合に、電子デバイスが無線充電及び放電デバイスと接続されていると決定し、あるいは、
無線充電及び放電デバイスにおける機械的接触の程度が変化することが検出される場合に、電子デバイスが無線充電及び放電デバイスと接続されていると決定し、あるいは、
無線充電及び放電デバイスにおけるホール部品のレベルが変化することが検出される場合に、電子デバイスが無線充電及び放電デバイスと接続されていると決定し、あるいは、
無線充電及び放電デバイスとデバイスが接続されていると無線充電及び放電デバイスの近距離通信モジュールが検出する場合に、電子デバイスが無線充電及び放電デバイスと接続されていると決定する
よう構成される。
【０１１５】
任意に、他の実施形態で、電子デバイスが無線充電及び放電デバイスと無線接続されていると決定した後に、無線充電／放電コントローラは更に、電子デバイスのタイプを決定するよう構成される。
【０１１６】
任意に、他の実施形態で、電子デバイスのタイプを決定することに関して、無線充電／放電コントローラは具体的に、
近距離通信様式で電子デバイスによって送られた受信されたデバイス情報に基づき電子デバイスのタイプを決定し、あるいは、
無線充電及び放電デバイスの無線充電受電モードで、無線充電及び放電デバイスのデバイス情報を電子デバイスへ送り、電子デバイスのフィードバック情報が受け取られる場合に、電子デバイスが無線充電クレードルデバイスであると決定し、あるいは、
無線充電及び放電デバイスの無線充電クレードルモードで、電子デバイスによってフィードバックされるデバイス情報が受け取られる場合に、電子デバイスが無線充電受電デバイスであると決定する
よう構成される。
【０１１７】
任意に、他の実施形態で、無線充電及び放電デバイスの無線充電受電モードで、無線充電及び放電デバイスのデバイス情報が電子デバイスへ送られた後に、電子デバイスのフィードバック情報が受け取られない場合に、無線充電／放電コントローラは更に、
無線充電及び放電デバイスを無線充電クレードルモードへ切り替え、電子デバイスによってフィードバックされたデバイス情報が第２アンテナを用いて受け取られる場合に、電子デバイスが無線充電受電デバイスであると決定するよう構成され、あるいは、
無線充電及び放電デバイスの無線充電クレードルモードで、電子デバイスのデバイス情報が受け取られない場合に、無線充電／放電コントローラは更に、
無線充電及び放電デバイスを無線充電受電モードへ切り替え、第１アンテナを用いて無線充電及び放電デバイスのデバイス情報を電子デバイスへ送り、電子デバイスのフィードバック情報が受け取られる場合に、電子デバイスが無線充電クレードルデバイスであると決定するよう構成される。
【０１１８】
任意に、他の実施形態で、無線充電及び放電デバイスは表示スクリーンを更に含む。
【０１１９】
無線充電及び放電デバイスの無線充電受電モードで、電子デバイスのフィードバック情報が受け取られない場合に、無線充電／放電コントローラは更に、
第１プロンプト情報を表示スクリーンで表示するように無線充電及び放電デバイスを制御するよう構成され、ここで、第１プロンプト情報は、無線充電及び放電デバイスを無線充電受電モードから無線充電クレードルモードへ切り替えるべきかどうかをユーザに促すために使用され、あるいは、
無線充電及び無線放電デバイスの無線充電クレードルモードで、電子デバイスのデバイス情報が受け取られない場合に、無線充電／放電コントローラは更に、
第２プロンプト情報を表示スクリーンで表示するように無線充電及び放電デバイスを制御するよう構成され、ここで、第２プロンプト情報は、無線充電及び放電デバイスを無線充電クレードルモードから無線充電受電モードへ切り替えるべきかどうかをユーザに促すために使用される。
【０１２０】
任意に、他の実施形態で、無線充電クレードルデバイスにより無線充電及び放電デバイスを充電する過程で、無線充電／放電コントローラは更に、
前もってセットされた無線充電通信プロトコルに従って無線充電及び放電デバイスのステータス情報を無線充電クレードルデバイスへ送り、無線充電クレードルデバイスが、無線充電及び放電デバイスのステータス情報に基づき、充電及び放電デバイスを充電する出力電力を調整するようにするよう構成され、ここで、無線充電及び放電デバイスのステータス情報は、次のもの：電気量、充電電流、バッテリ電圧、又は無線充電及び放電デバイスの温度情報のうちの少なくとも１つを含み、あるいは、
充電電流を電子デバイスへ供給する過程で、無線充電／放電コントローラは更に、
前もってセットされた無線充電通信プロトコルに従って、無線充電受電デバイスによって送られた無線充電受電デバイスのステータス情報を受け、ここで、無線充電受電デバイスのステータス情報は、次のもの：電気量、充電電流、バッテリ電圧、又は無線充電受電デバイスの温度情報のうちの少なくとも１つを含み、
無線充電受電デバイスのステータス情報に基づき、充電電流を無線充電受電デバイスへ供給するよう出力電力を調整する
よう構成される。
【０１２１】
従って、本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における充電及び放電デバイスは、先行技術の課題を解決し、ユーザ経験を改善することができる。
【０１２２】
図８は、本発明の実施形態に従う充電及び放電デバイスの略ブロック図である。無線充電及び放電デバイス８０は、図１乃至図５に示される本発明の実施形態で実施される上記の方法を実装するよう構成されてよい。記載の容易のために、本発明のこの実施形態に関係がある部分のみが示される。開示されていない技術的詳細については、図１乃至図５に示される本発明の実施形態を参照されたい。
【０１２３】
無線充電及び放電デバイスが無線により充電され得且つ無線により他の電子デバイスを充電することができるという条件で、モバイル端末は、コンピュータ、スマートフォン、ゲーム機、ウェアラブル機器、携帯型アンドロイド機器（Portable  Android  Device，略して“ＰＡＤ”）、ポータブル機器、無線充電／放電機能を有している無線モバイル電源（Mobile  Power  Pack，ＭＰＰ）（モバイル・パワー・パック又は旅行充電器とも呼ばれることがある。）、などを含んでよい。本発明のこの実施形態はそれらに限られない。
【０１２４】
本発明のこの実施形態では、モバイル端末が携帯電話機であるところの例が、説明のために使用される。図８は、本発明の実施形態に関係がある充電及び放電デバイス８０の部分構造のブロック図である。
【０１２５】
図８に示されるように、充電及び放電デバイス８０は、無線周波数（Radio  Frequency，ＲＦ）回路８１、メモリ８２、入力ユニット８３、表示ユニット８４、オーディオ周波数ユニット８５、プロセッサ８６、電源８７、インターフェイス８８、及びアンテナ８９のような構成要素を含む。当業者は、図８に示される端末デバイスの構造が端末デバイスに対する制限を構成せず、端末デバイスが具体的に図８に示されるよりも多く又は少なく構成要素を含んだり、又はいくつかの構成要素を組み合わせたり、又は異なる位置に配置された異なる構成要素を有したりしてよいと理解し得る。
【０１２６】
プロセッサ８６は、電子デバイスが無線充電及び放電デバイスと接続されていることを決定し、ここで、電子デバイスは、無線充電クレードルデバイス又は無線充電受電デバイスであり、
電子デバイスが無線充電クレードルデバイスである場合には、無線充電及び放電デバイスの無線充電受電モードで、無線充電及び放電デバイスのバッテリに対して電子デバイスによって供給される充電電気エネルギをアンテナ８９により受け、電子デバイスが無線充電受電デバイスである場合には、無線充電及び放電デバイスの無線充電クレードルモードで、アンテナ８９により無線充電及び放電デバイスのバッテリの電気エネルギを電子デバイスへ出力する
よう構成される。
【０１２７】
従って、本発明のこの実施形態で、充電及び放電デバイスは、無線充電クレードルデバイスによって供給される電気エネルギを受ける無線充電受電デバイス、及び充電電流を無線充電受電デバイスへ供給する、すなわち、逆方向の無線充電機能をサポートする無線充電クレードルデバイス、の両方として使用され得る。従って、本発明のこの実施形態における充電及び放電デバイスは、先行技術の課題を解決し、ユーザ経験を改善することができる。
【０１２８】
プロセッサ８６は、充電又は放電を行うよう、無線充電／放電コントローラを用いて充電及び放電デバイスを制御してよいことが理解されるべきである。無線充電／放電コントローラは、独立制御ユニットであってよく、あるいは、プロセッサ８６と同じユニットであってよい。図８では、無線充電／放電コントローラ及びプロセッサ８６が同じユニットであることが、記載のための例として使用される。なお、本発明のこの実施形態はそれに限られない。
【０１２９】
アンテナ８９は第１アンテナ及び第２アンテナを含んでよいことが更に理解されるべきである。無線充電及び放電デバイスが無線充電受電モードにある場合に、第２アンテナは、無線充電クレードルデバイスから放射されるエネルギを受けるために使用されてよく、無線充電及び放電デバイスが無線充電クレードルモードにある場合に、第１アンテナは、エネルギを外部デバイスへ放射するために使用されてよい。
【０１３０】
アンテナ８９は、代替的に、１つのアンテナを含んでよく、すなわち、第１アンテナ及び第２アンテナは同じアンテナである。この場合に、アンテナ８９は時分割様式で多重化され、無線充電及び放電デバイスが無線充電受電モードにある場合に、アンテナ８９は、無線充電クレードルデバイスから放射されるエネルギを受ける。無線充電及び放電デバイスが無線充電クレードルモードにある場合に、アンテナ８９は、エネルギを外部デバイスへ放射する。
【０１３１】
本発明のこの実施形態で、無線周波数回路８１は、情報受信及び送信プロセス又は呼び出しプロセスの間に信号を受信及び送信し、特に、ダウンリンク信号を受信した後に、ダウンリンク信号を処理のためにプロセッサ８６へ送り、その上、アップリンク信号を送るよう構成されてよいことが理解されるべきである。通常は、無線周波数回路８１は、制限なしに、アンテナ、少なくとも１つの増幅器、トランシーバ、カプラ、低雑音増幅器（Low  Noise  Amplifier，略して“ＬＮＡ”）、及びデュプレクサを含む。
【０１３２】
無線周波数回路８１は、近距離通信モジュール、例えば、ワイヤレス・フィデリティ（Wireless  Fidelity，略して“ＷｉＦｉ”）モジュール、ブルートゥースモジュール、赤外線モジュール、又はＮＦＣモジュールを更に含んでよい。詳細については、本発明のこの実施形態においてここでは記載されない。
【０１３３】
充電及び放電デバイス８０は、ワイヤレス・パワー・コンソーシアム（Wireless  Power  Consortium，ＷＰＣ）標準（Ｑｉ標準とも呼ばれ得る。）、Ａ４ＷＰ、及びＰＭＡ（Power  Matters  Alliance）標準のような国際的に汎用な標準を用いて電子デバイスと通信してよい。
【０１３４】
加えて、充電及び放電デバイス８０は、無線通信を通じてネットワーク及び他のデバイスと通信してよい。如何なる通信標準又はプロトコルも無線通信のために使用されてよく、制限なしに、グルーバル・システム・フォー・モバイル・コミュニケーションズ（Global  System  for  Mobile  Communications，略して“ＧＳＭ”）、汎用パケット無線サービス（General  Packet  Radio  Service，略して“ＧＰＲＳ”）、符号分割多重アクセス（Code  Division  Multiple  Access，略して“ＣＤＭＡ”）、広帯域符号分割多重アクセス（Wideband  Code  Division  Multiple  Access，略して“ＷＣＤＭＡ”）、ロング・ターム・エボリューション（Long  Term  Evolution，略して“ＬＴＥ”）、ＷｉＦｉ、ブルートゥース、赤外線、ＮＦＣ、電子メール、ショート・メッセージ・サービス（Short  Message  Service，略して“ＳＭＳ”）を含む。
【０１３５】
メモリ８２は、コンピュータ実行可能なプログラムコードを記憶するよう構成されてよく、プログラムコードは命令を含む。プロセッサが命令を実行する場合に、命令は、充電及び放電デバイスが図１乃至図５に示される本発明の実施形態における上記の方法を実行することを可能にする。メモリ８２は、プログラム記憶領域及びデータ記憶領域を主に含んでよい。プログラム記憶領域は、スマートフォンのオペレーティング・システム、少なくとも１つの機能によって必要とされる命令（例えば、入力方法を適用する命令のような、情報入力機能によって必要とされる命令、音響再生機能のための命令、及び画像再生機能のための命令）、などを記憶し得る。データ記憶領域は、スマートフォンの使用に基づき生成されるデータ（例えば、ユーザによって入力方法を使用する過程で生成されるワードライブラリ、オーディオデータ、画像データ、又はアドレス帳）、などを記憶し得る。加えて、メモリ８２は、高速ランダム・アクセス・メモリを含んでよく、少なくとも１つの磁気ディスク記憶コンポーネントのような不揮発性メモリ、フラッシュメモリコンポーネント、又は他の揮発性固体状態記憶コンポーネントを更に含んでよい。
【０１３６】
入力ユニット８３は、入力デジタル又は文字情報を受け、端末デバイスのユーザ設定及び機能制御に関連したキー信号入力を生成するよう構成されてよい。具体的に、入力ユニット８３は、タッチスクリーン８３１及び他の入力デバイス８３２を含んでよい。タッチスクリーン８３１はまた、タッチパネルとも呼ばれ、タッチスクリーン上又はその近くでユーザによって行われるタッチ操作（例えば、指又はスタイラスのような何らかの適切な物又はアクセサリを用いてタッチスクリーン８３１の上又はタッチスクリーン８３１の近くでユーザによって行われる操作）を収集し、前もってセットされたプログラムに基づき対応する接続装置を駆動し得る。任意に、タッチスクリーン８３１は、２つの部分：タッチ検出装置及びタッチコントローラを含んでよい。タッチ検出装置は、ユーザのタッチ位置を検出し、タッチ操作によってもたらされる信号を検出し、信号をタッチコントローラへ送る。タッチコントローラは、タッチ検出装置からタッチ情報を受け、タッチ情報をタッチ点座標に変換し、タッチ点座標をプロセッサ８６へ送り、そして、プロセッサ８６によって送られたコマンドを受信し実行することができる。その上、タッチスクリーン８３１は、抵抗性、容量性、赤外線、及び弾性表面波といった複数のタイプを用いて実装されてよい。他の入力デバイス８３２は、制限なしに、物理キーボード、ファンクションキー（例えば、音量制御キー又はオン／オフキー）、トラックボール、マウス、及びジョイスティックのうちの１つ以上を含んでよい。
【０１３７】
表示ユニット８４は、ユーザによって入力された情報又はユーザに提供される情報と、無線充電及び放電デバイスの様々なメニューとを表示するよう構成されてよい。表示ユニット８４は表示パネル８４１を含んでよい。任意に、表示パネル８４１は、液晶ディスプレイ（Liquid  Crystal  Display，略して“ＬＣＤ”）又は有機発光ダイオード（Organic  Light-emitting  Diode，略して“ＯＬＥＤ”）のような形で構成されてよい。更に、タッチスクリーン８３１は表示パネル８４１を覆ってよい。タッチスクリーン８３１上又はその近くでタッチ操作を検出した後、タッチスクリーン８３１は、タッチ事象のタイプを決定するためにタッチ操作をプロセッサ８６へ送り、次いで、プロセッサ８６は、タッチ事象のタイプに基づき表示パネル８４１上で対応する視覚出力を供給する。図８で、タッチスクリーン８３１及び表示パネル８４１は、スマートフォンの入力及び出力機能を実装するよう２つの独立したコンポーネントとして使用される。なお、いくつかの実施形態では、タッチスクリーン８３１及び表示パネル８４１は、無線充電及び放電デバイスの入力及び出力機能を実装するよう一体化されてもよい。
【０１３８】
オーディオ周波数ユニット８５は、オーディオ周波数回路８５１、ラウドスピーカ８５２、及びマイクロホン８５３を含む。オーディオ周波数ユニット８５は、ユーザと無線充電及び放電デバイスとの間の音声インターフェイスを提供し得る。オーディオ周波数回路８５１は、オーディオデータを受け、オーディオデータを電気信号に変換し、電気信号をラウドスピーカ８５２へ送ってよく、ラウドスピーカ８５２は、電気信号を出力のために音響信号に変換する。その上、マイクロホン８５３は、収集された音響信号を電気信号に変換し、オーディオ周波数回路８５１は、電気信号を受信し、電気信号をオーディオデータに変換し、次いで、オーディオデータを、例えば、他の無線充電及び放電デバイスへ送るか、又はオーディオデータを更なる処理のためにメモリ８２へ出力するために、オーディオデータを無線周波数回路８１へ出力する。
【０１３９】
プロセッサ８６は、無線充電及び放電デバイスの制御センターであり、様々なインターフェイス及びラインを用いて無線充電及び放電デバイス全体の全ての部分へ接続され、そして、無線充電及び放電デバイスの対応する機能を完了するために、メモリ８２に記憶されているソフトウェアプログラム及びモジュールを起動又は実行することによって且つメモリ８２に記憶されているデータを呼び出すことによって、無線充電及び放電デバイスの様々な機能を実行し且つデータを処理する。任意に、プロセッサ８６は、１つ以上の処理ユニットを含んでよい。プロセッサ８６は、アプリケーションプロセッサ及びモデムプロセッサを一体化してよい。アプリケーションプロセッサは、オペレーティング・システム、ユーザ・インターフェイス、アプリケーション、などを主に処理し、モデムプロセッサは、無線通信を主に処理する。モデムプロセッサは、プロセッサ８６に組み込まれなくてもよいことが理解され得る。
【０１４０】
無線充電及び放電デバイスは、電力を各コンポーネントへ供給する電源８７を更に含む。望ましくは、電源は、電源管理システムを用いて充電管理、放電管理、電力消費管理のような機能を実装するために、電源管理システムを用いてプロセッサ８６へ論理的に接続されてよい。
【０１４１】
インターフェイス８８は、他のデバイスへ接続し、無線充電及び放電デバイスと他のデバイスとの間でデータを送信するよう構成されてよい。インターフェイス８８は、有線接続インターフェイスであってよく、あるいは、無線接続インターフェイスであってよい。
【０１４２】
本発明のこの実施形態に従う充電及び放電デバイス８０は、本発明の実施形態における無線充電及び放電デバイス６００並びに無線充電及び放電デバイス７００に対応してよく、相応して本発明の方法実施形態の中のステップを実行してよいことが理解されるべきである。簡潔さのために、詳細についてはここで再度記載されない。
【０１４３】
本発明の実施形態で、上記の装置におけるプロセッサは、中央演算処理装置（Central  Processing  Unit，ＣＰＵ）であってよく、あるいは、プロセッサは、他の汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、又は他のプログラム可能な論理デバイス、ディスクリート・ゲート若しくはトランジスタ論理デバイス、ディスクリート・ハードウェア部品、などであってよいことが理解されるべきである。汎用プロセッサは、マイクロプロセッサであってよく、あるいは、プロセッサは、如何なる通常のプロセッサ、などであってもよい。
【０１４４】
当業者は、実施形態の方法のステップの全て又は一部が、ハードウェア又は関連するハードウェアに命令するプログラムによって実装されてよいと理解し得る。プログラムは、コンピュータ可読記憶媒体に記憶されてよい。プログラムが実行される場合に、図１乃至図５に示される実施形態の方法の中の全て又はいくつかのステップが実行される。記憶媒体は、リード・オンリー・メモリ、磁気ディスク、光ディスク、などであってよい。
【０１４５】
明細書全文で述べられている「一実施形態」又は「実施形態」は、実施形態に関連する特定の特徴、構造又は特性が本発明の少なくとも１つの実施形態に含まれることを意味しないことが理解されるべきである。従って、明細書の全文を通して現れる「一実施形態で」又は「実施形態で」は必ずしも同じ実施形態を意味するわけではない。その上、それらの特定の特徴、構造又は特性は、如何なる適切な方法によっても１つ以上の実施形態において組み合わされてよい。上記のプロセスの連番は、本発明の様々な実施形態における実行順序を意味しないことが理解されるべきである。プロセスの実行順序は、プロセスの内部ロジック及び機能に基づき決定されるべきであり、本発明の実施形態の実装プロセスに対する如何なる制限としても解釈されるべきではない。
【０１４６】
加えて、語「システム」及び「ネットワーク」は、本明細書中で同義的に使用されることがある。本明細書中の語「及び／又は」は、関連する事物を記載するための単なる連関関係を記載し、３つの関係が存在し得ることを表す。例えば、Ａ及び／又はＢは、次の３つの場合：Ａのみが存在する、Ａ及びＢの両方が存在する、及びＢのみが存在する、を表し得る。その上、本明細書中の文字「／」は、通常は、関連する事物の間の“論理和”関係を示す。
【０１４７】
本発明の実施形態で、「Ａに対応するＢ」は、ＢがＡと関連することを示し、Ｂは、Ａに基づき決定されることが理解されるべきである。しかし、Ｂに基づきＡを決定することは、ＢがＡにのみ基づき決定されることを意図せず、すなわち、Ｂは、Ａ及び／又は他の情報に基づき決定されてもよいことが更に理解されるべきである。
【０１４８】
当業者は、本明細書で開示されている実施形態で記載されている例と組み合わせて、ユニット及びアルゴリズムステップが電子ハードウェア、コンピュータソフトウェア、又はそれらの組み合わせによって実装されてよいと気付き得る。ハードウェアとソフトウェアとの間の互換性について明りょうに記載するよう、上記は、概して、機能に基づき夫々の例の構成及びステップについて記載してきた。機能がハードウェア又はソフトウェアによって実行されるかどうかは、技術的解決法の設計制約条件及び特定の用途に依存する。当業者は、記載されている機能を夫々の特定の用途のために実装するために種々の方法を使用してよいが、実施は本発明の適用範囲を越えると考えられるべきではない。
【０１４９】
便宜上及び記載の簡単のために、上記のシステム、装置及びユニットの詳細な作動プロセスについては、上記の方法実施形態の中の対応するプロセスを参照されたく、詳細についてはここで再度記載されないことが当業者によって明らかに理解され得る。
【０１５０】
本願で与えられているいくつかの実施形態で、開示されているシステム、装置及び方法は、他の方法で実装されてもよいことが理解されるべきである。例えば、記載されている装置実施形態は、単に一例にすぎない。例えば、ユニット分割は、単に論理的な機能分割にすぎず、実際の実施では他の分割であってよい。例えば、複数のユニット又はコンポーネントは、他のシステムに結合又は一体化されてよく、あるいは、いくつかの特徴は、無視されるか又は実行されなくてよい。その上、表示又は議論されている相互結合又は直接的な結合若しくは通信接続は、いくつかのインターフェイス、装置若しくはユニット間の間接的な結合若しくは通信接続、又は電気的な接続、機械的な接続、若しくは他の形態での接続を通じて実装されてよい。
【０１５１】
別個の部分として記載されるユニットは、物理的に別個であっても又はなくてもよく、ユニットして表示される部分は、物理ユニットであっても又はなくてもよく、一個所に置かれてよく、あるいは、複数のネットワークユニットに分配されてよい。ユニットの一部又は全ては、本発明の実施形態の解決法の目的を達成するよう実際のニーズに基づき選択されてよい。
【０１５２】
その上、本発明の実施形態における機能ユニットは、１つの処理ユニットに組み込まれてよく、あるいは、ユニットの夫々は、物理的に単独で存在してよく、あるいは、２つ以上のユニットは１つのユニットに一体化される。一体化されたユニットは、ハードウェアの形で実装されてよく、あるいは、ソフトウェア機能ユニットの形で実装されてよい。
【０１５３】
上記の実施の記載によれば、当業者は、本発明がハードウェア、ファームウェア、又はそれらの組み合わせによって実装されてよいと明らかに理解し得る。本発明がソフトウェアによって実装される場合に、上記の機能は、コンピュータ可読媒体において記憶されるか、あるいは、コンピュータ可読媒体において１つ以上の命令又はコードとして伝送されてよい。コンピュータ可読媒体は、不揮発性コンピュータ記憶媒体及び通信媒体を含み、通信媒体は、コンピュータプログラムが１つの場所から他へ送信されることを可能にする如何なる媒体も含む。記憶媒体は、コンピュータがアクセスすることができる如何なる利用可能な媒体であってもよい。以下は、例を与えるが、制限を課さない。コンピュータ可読媒体は、ＲＡＭ、ＲＯＭ、ＥＥＰＲＯＭ、ＣＤ−ＲＯＭ、又は他の光ディスクストレージ若しくはディスクストレージ媒体、又は他の磁気記憶デバイス、あるいは、期待されるプログラムコードを命令又はデータ構造の形で搬送又は記憶することができ、コンピュータによってアクセスされ得るあらゆる他の媒体を含んでよい。その上、如何なる接続も、コンピュータ可読媒体として適切に定義され得る。例えば、ソフトウェアがウェブサイト、サーバ、又は他の遠隔ソースから同軸ケーブル、光ファイバ／ケーブル、ツイストペア、デジタル加入者回線（ＤＳＬ）又は赤外線、ラジオ及びマイクロ波のような無線技術を用いて送信される場合に、同軸ケーブル、光ファイバ／ケーブル、ツイストペア、ＤＳＬ又は赤外線、ラジオ及びマイクロ波のような無線技術は、それらが属する媒体の定義に含まれる。例えば、本発明によって使用されるディスク（Disc）及びディスク（disc）は、コンパクト・ディスク（ＣＤ）、レーザー・ディスク、光ディスク、デジタル・バーサタイル・ディスク（ＤＶＤ）、フロッピー・ディスク及びブルーレイ・ディスクを含む。ディスクは、通常は、磁気手段によってデータをコピーし、ディスクは、レーザー手段によって光学的データをコピーする。上記の組み合わせも、コンピュータ可読媒体の保護範囲に含まれるべきである。
【０１５４】
要約すると、上記の記載は、本発明の技術的解決法の実施形態の単なる例にすぎず、本発明の実施形態の保護範囲を制限するよう意図されない。本発明の実施形態の精神及び原理から外れることなしに行われる如何なる変更、等価置換、又は改善も、本発明の実施形態の保護範囲内にあるべきである。
【図１】
0006770647.tif 000002
【図２】
0006770647.tif 000003
【図３】
0006770647.tif 000004
【図４】
0006770647.tif 000005
【図５】
0006770647.tif 000006
【図６】
0006770647.tif 000007
【図７】
0006770647.tif 000008
【図８】
0006770647.tif 000009